(57)【要約】      （修正有）【課題】ネットワークノードによってサービングされ、カバレッジ拡張モードで動作するように設定されたワイヤレス通信デバイスにおけるアップリンク送信タイミング調整のための方法を提供する。【解決手段】カバレッジ拡張モードは、第１の繰返し期間の間の第１のアップリンク信号の繰返し送信を含む。本方法は、ダウンリンクタイミングの変化を決定すること２１０と、第１の繰返し期間が継続中であるかどうかを決定すること２４０と、ダウンリンクタイミングの変化と、第１の繰返し期間が継続中であることとに応答して、第１の繰返し期間外でアップリンク送信タイミングの調整を実施すること２６０と、を含む。【選択図】図２ａ
2020074521.tif 000002
【特許請求の範囲】
【請求項１】
第１の繰返し期間の間の第１のアップリンク信号の繰返し送信を含むカバレッジ拡張モードで動作するように設定されたワイヤレス通信デバイスと、
前記ワイヤレス通信デバイスをサービングするネットワークノードであって、前記ワイヤレス通信デバイスに参照信号を送信するように設定された送信機を備える、ネットワークノードと
を備えるワイヤレス通信システムであって、
前記ワイヤレス通信デバイスは、
前記参照信号に基づいて、ダウンリンクタイミングの変化を決定することと、
前記第１の繰返し期間が継続中であるかどうかを決定することと、
前記ダウンリンクタイミングの前記変化と、前記第１の繰返し期間が継続中であることとに応答して、前記第１の繰返し期間外でアップリンク送信タイミングの調整を実施することと
を行うように設定された処理回路を備える、
ワイヤレス通信システム。
【請求項２】
前記ネットワークノードは、
前記ワイヤレス通信デバイスが、前記第１の繰返し期間と少なくとも部分的に重複する第２の繰返し期間の間に第２のアップリンク信号を送信するように設定されることになると決定することと、
前記ワイヤレス通信デバイスが、前記第１の繰返し期間と前記第２の繰返し期間との重複時間が最大にされるか、または前記複数のアップリンク信号の単一の送信が最小にされるように、所定のルールに従って、前記第１の繰返し期間と前記第２の繰返し期間とを整合させることを可能にすることと
を行うように設定された処理回路を備える、請求項１に記載のワイヤレス通信システム。
【請求項３】
前記所定のルールは、
前記第１の繰返し期間および前記第２の繰返し期間が同時に開始することと、
前記第１の繰返し期間および前記第２の繰返し期間が同時に終了することと、
前記第１の繰返し期間および前記第２の繰返し期間が第１の持続時間内に開始することと、
前記第１の繰返し期間および前記第２の繰返し期間が第２の持続時間内に終了することと
のうちの１つを含む、請求項２に記載のワイヤレス通信システム。
【請求項４】
前記ワイヤレス通信デバイスの前記処理回路は、
前記ネットワークノードによって送信されるダウンリンク制御情報（ＤＣＩ）であって、前記第１のアップリンク信号の前記繰返し送信のために使用すべき繰返数に関する明示的または暗黙的情報を含んでいる、ＤＣＩと、
前記ネットワークノードによって与えられる無線リソース制御（ＲＲＣ）構成であって、前記ＲＲＣ構成が、無線リソース時間単位中の前記ワイヤレス通信デバイスのためのリソース数を含んでおり、前記リソース数が、前記繰返数を明示的または暗黙的に示す、ＲＲＣ構成と
のうちの１つに基づいて、前記第１の繰返し期間が、１つの無線リソース時間単位よりも長いかどうかを決定するように設定された、請求項１から３のいずれか一項に記載のワイヤレス通信システム。
【請求項５】
ネットワークノードによってサービングされ、カバレッジ拡張モードで動作するように設定されたワイヤレス通信デバイスにおけるアップリンク送信タイミング調整のための方法であって、前記カバレッジ拡張モードが、第１の繰返し期間の間の第１のアップリンク信号の繰返し送信を含み、前記方法は、
ダウンリンクタイミングの変化を決定することと、
前記第１の繰返し期間が継続中であるかどうかを決定することと、
前記ダウンリンクタイミングの前記変化と、前記第１の繰返し期間が継続中であることとに応答して、前記第１の繰返し期間外でアップリンク送信タイミングの調整を実施することと
を含む、方法。
【請求項６】
ダウンリンクタイミングの変化を決定することが、
基準時間に関する、前記ネットワークノードから前記ワイヤレス通信デバイスにおいて受信された参照信号のダウンリンクタイミングの変化を決定すること
を含む、請求項５に記載の方法。
【請求項７】
ダウンリンクタイミングの変化を決定することが、
前記ダウンリンク上で前記ネットワークノードによってブロードキャストされる１つまたは複数の参照信号のタイミングの、１つまたは複数の前の参照信号に基づいて前記ワイヤレス通信デバイスによって前記参照信号のために予測されたタイミングに対する、相対的変化を決定すること
を含む、請求項６に記載の方法。
【請求項８】
前記アップリンク送信タイミングは、次のアップリンク送信が開始する前の、および前記継続中のアップリンク送信期間が終了した後の±Ｔｅ秒内に調整され、Ｔｅが、タイミング誤差限界値を示すものであり、ダウンリンク特性およびアップリンク特性に依存する、請求項５から７のいずれか一項に記載の方法。
【請求項９】
前記カバレッジ拡張モードが、繰返しを伴わない第２のアップリンク信号の送信をさらに含み、前記実施するステップが、
前記第１のアップリンク信号のアップリンク送信タイミングと同じアップリンク送信タイミングをもつ前記第２のアップリンク信号を設定すること
をさらに含む、請求項５から７のいずれか一項に記載の方法。
【請求項１０】
前記カバレッジ拡張モードが、前記第１の繰返し期間と少なくとも部分的に重複された第２の繰返し期間をもつ第２のアップリンク信号の繰返し送信をさらに含み、前記実施するステップが、
前記ダウンリンクタイミングの前記変化に応答して、前記第１の繰返し期間および前記第２の繰返し期間の両方の外で前記アップリンク送信タイミングの前記調整を実施すること
をさらに含む、請求項５から７のいずれか一項に記載の方法。
【請求項１１】
前記第１の繰返し期間が継続中でない場合、前記アップリンク送信タイミングは、前記第１の繰返し期間が開始する前の±Ｔｅ秒内に調整され、Ｔｅが、タイミング誤差限界値を示すものであり、ダウンリンク特性およびアップリンク特性に依存する、
請求項５から７のいずれか一項に記載の方法。
【請求項１２】
前記アップリンク特性が、アップリンクシステム帯域幅、サブキャリア距離、シンボル長、サイクリックプレフィックス長のいずれかまたは組合せを含み、前記ダウンリンク特性が、ダウンリンクシステム帯域幅、および繰返しの動作モードのいずれかまたは組合せを含む、請求項８又は１１に記載の方法。
【請求項１３】
前記ネットワークノードによって送信されるダウンリンク制御情報（ＤＣＩ）であって、前記第１のアップリンク信号の前記繰返し送信のために使用すべき繰返数に関する明示的または暗黙的情報を含んでいる、ＤＣＩと、
前記ネットワークノードによって与えられる無線リソース制御（ＲＲＣ）構成であって、前記ＲＲＣ構成が、無線リソース時間単位中の前記ワイヤレス通信デバイスのためのリソース数を含んでおり、前記リソース数が、前記繰返数を明示的または暗黙的に示す、ＲＲＣ構成と
のうちの１つに基づいて、前記第１の繰返し期間が、１つの無線リソース時間単位よりも長いかどうかを決定することをさらに含む、請求項５から７のいずれか一項に記載の方法。
【請求項１４】
前記第１の繰返し期間が１つの無線リソース時間単位よりも長くない場合、前記アップリンク送信タイミングは、以下の条件、
ａ．  １つの調整におけるタイミング変化の大きさの最大量がＴｑ秒であるものとする、
ｂ．  最小アグリゲート調整レートが毎秒７＊Ｔｓであるものとし、Ｔｓが基本タイミング単位である、および
ｃ．  前記最大アグリゲート調整レートが２００ｍｓ当たりＴｑであるものとする、
を含むルールに従って調整され、
Ｔｑが、ダウンリンク特性およびアップリンク特性に依存している、
請求項１３に記載の方法。
【請求項１５】
Ｔｑが、以下の表に従ってダウンリンク帯域幅上にマッピングされる、請求項１４に記載の方法。
2020074521.tif 000004
【請求項１６】
前記１つの無線リソース時間単位が、１つのエボルブドユニバーサル地上無線アクセスネットワーク（ＥＵＴＲＡＮ）サブフレーム、または２つのＥＵＴＲＡＮサブフレームに対応する、請求項１３から１５のいずれか一項に記載の方法。
【請求項１７】
前記ワイヤレス通信デバイスが、
エボルブドマシン型通信（ｅＭＴＣ）デバイスと、
狭帯域モノのインターネット（ＮＢ−ＩｏＴ）デバイスと
のうちの少なくとも１つを備える、請求項５から１６のいずれか一項に記載の方法。
【請求項１８】
ネットワークノードによってサービングされ、カバレッジ拡張モードで動作するように設定されたワイヤレス通信デバイスにおけるアップリンク送信タイミング調整のための方法であって、前記カバレッジ拡張モードが、それぞれの繰返し期間をもつ複数のアップリンク信号の繰返し送信を含み、前記方法は、
前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させること
を含む、方法。
【請求項１９】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項１８に記載の方法。
【請求項２０】
ネットワークノードによってサービングされ、カバレッジ拡張モードで動作するように設定されたワイヤレス通信デバイスであって、前記カバレッジ拡張モードが、第１の繰返し期間の間の第１のアップリンク信号の繰返し送信を含み、前記ワイヤレス通信デバイスは、
ダウンリンクタイミングの変化を決定することと、
前記第１の繰返し期間が継続中であるかどうかを決定することと、
前記ダウンリンクタイミングの前記変化と、前記第１の繰返し期間が継続中であることとに応答して、前記第１の繰返し期間外でアップリンク送信タイミングの調整を実施することと
を行うように設定された処理回路を備える、ワイヤレス通信デバイス。
【請求項２１】
前記処理回路が、
基準時間に関する、前記ネットワークノードから前記ワイヤレス通信デバイスにおいて受信された参照信号のダウンリンクタイミングの変化を決定すること
を行うようにさらに設定された、請求項２０に記載のワイヤレス通信デバイス。
【請求項２２】
前記処理回路が、
前記ダウンリンク上で前記ネットワークノードによってブロードキャストされる１つまたは複数の参照信号のタイミングの、１つまたは複数の前の参照信号に基づいて前記ワイヤレス通信デバイスによって前記参照信号のために予測されたタイミングに対する、相対的変化を決定すること
を行うようにさらに設定された、請求項２１に記載のワイヤレス通信デバイス。
【請求項２３】
前記アップリンク送信タイミングは、次のアップリンク送信が開始する前の、および前記継続中のアップリンク送信期間が終了した後の±Ｔｅ秒内に調整され、Ｔｅが、タイミング誤差限界値を示すものであり、ダウンリンク特性およびアップリンク特性に依存する、請求項２０から２２のいずれか一項に記載のワイヤレス通信デバイス。
【請求項２４】
前記カバレッジ拡張モードが、繰返しを伴わない第２のアップリンク信号の送信をさらに含み、前記処理回路が、
前記第１のアップリンク信号のアップリンク送信タイミングと同じアップリンク送信タイミングをもつ前記第２のアップリンク信号を設定すること
を行うようにさらに設定された、請求項２０から２２のいずれか一項に記載のワイヤレス通信デバイス。
【請求項２５】
前記カバレッジ拡張モードが、前記第１の繰返し期間と少なくとも部分的に重複された第２の繰返し期間をもつ第２のアップリンク信号の繰返し送信をさらに含み、前記処理回路が、
前記ダウンリンクタイミングの前記変化に応答して、前記第１の繰返し期間および前記第２の繰返し期間の両方の外で前記アップリンク送信タイミングの前記調整を実施すること
を行うようにさらに設定された、請求項２０から２２のいずれか一項に記載のワイヤレス通信デバイス。
【請求項２６】
前記処理回路は、
前記第１の繰返し期間が継続中でない場合、前記第１の繰返し期間が開始する前の±Ｔｅ秒内に前記アップリンク送信タイミングを調整するようにさらに設定され、Ｔｅが、タイミング誤差限界値を示すものであり、ダウンリンク特性およびアップリンク特性に依存する、
請求項２０から２２のいずれか一項に記載のワイヤレス通信デバイス。
【請求項２７】
前記アップリンク特性が、アップリンクシステム帯域幅、サブキャリア間隔、シンボル長、サイクリックプレフィックス長のいずれかまたは組合せを含み、前記ダウンリンク特性が、ダウンリンクシステム帯域幅、および繰返しの動作モードのいずれかまたは組合せを含む、請求項２３又は２６に記載のワイヤレス通信デバイス。
【請求項２８】
前記処理回路は、
前記ネットワークノードによって送信されるダウンリンク制御情報（ＤＣＩ）であって、前記第１のアップリンク信号の前記繰返し送信のために使用すべき繰返数に関する明示的または暗黙的情報を含んでいる、ＤＣＩと、
前記ネットワークノードによって与えられる無線リソース制御（ＲＲＣ）構成であって、前記ＲＲＣ構成が、無線リソース時間単位中の前記ワイヤレス通信デバイスのためのリソース数を含んでおり、前記リソース数が、前記繰返数を明示的または暗黙的に示す、ＲＲＣ構成と
のうちの１つに基づいて、前記第１の繰返し期間が、１つの無線リソース時間単位よりも長いかどうかを決定するようにさらに設定された、請求項２０から２２のいずれか一項に記載のワイヤレス通信デバイス。
【請求項２９】
前記処理回路は、前記第１の繰返し期間が１つの無線リソース時間単位よりも長くない場合、以下の条件、
ａ．  １つの調整におけるタイミング変化の大きさの最大量がＴｑ秒であるものとする、
ｂ．  最小アグリゲート調整レートが毎秒７＊Ｔｓであるものとし、Ｔｓが基本タイミング単位である、および
ｃ．  前記最大アグリゲート調整レートが２００ｍｓ当たりＴｑであるものとする、
を含むルールに従って、前記アップリンク送信タイミングを調整するようにさらに設定され、
Ｔｑが、ダウンリンク特性およびアップリンク特性に依存する、
請求項２８に記載のワイヤレス通信デバイス。
【請求項３０】
Ｔｑが、以下の表に従ってダウンリンク帯域幅上にマッピングされる、請求項２９に記載のワイヤレス通信デバイス。
2020074521.tif 000005
【請求項３１】
前記１つの無線リソース時間単位が、１つのエボルブドユニバーサル地上無線アクセスネットワーク（ＥＵＴＲＡＮ）サブフレーム、または２つのＥＵＴＲＡＮサブフレームに対応する、請求項２８から３０のいずれか一項に記載のワイヤレス通信デバイス。
【請求項３２】
前記ワイヤレス通信デバイスが、
エボルブドマシン型通信（ｅＭＴＣ）デバイスと、
狭帯域モノのインターネット（ＮＢ−ＩｏＴ）デバイスと
のうちの少なくとも１つを備える、請求項２０から３１のいずれか一項に記載のワイヤレス通信デバイス。
【請求項３３】
ワイヤレス通信デバイスのためのアップリンク送信タイミング調整プロシージャを拡張するための方法であって、
前記ワイヤレス通信デバイスが、少なくとも部分的に重複する繰返し期間上で少なくとも２つのアップリンク信号を送信するように設定されることになると決定することと、
前記ワイヤレス通信デバイスが、前記少なくとも２つのアップリンク信号の前記それぞれの繰返し期間を整合させることを可能にすることと
を含む、方法。
【請求項３４】
前記ワイヤレス通信デバイスが、前記少なくとも２つのアップリンク信号の前記それぞれの繰返し期間を整合させることを前記可能にするステップは、
前記ワイヤレス通信デバイスが、前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させることを可能にすること
を含む、請求項３３に記載の方法。
【請求項３５】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項３４に記載の方法。
【請求項３６】
前記方法が、前記ワイヤレス通信デバイスをサービングするネットワークノードにおいて実施される、請求項３３から３５のいずれか一項に記載の方法。
【請求項３７】
前記ワイヤレス通信デバイスが、少なくとも２つのアップリンク信号の繰返し送信を含むカバレッジ拡張モードで動作するように設定された、請求項３３から３６のいずれか一項に記載の方法。
【請求項３８】
ワイヤレス通信デバイスのためのアップリンク送信タイミング調整プロシージャを拡張するように設定されたネットワークノードであって、
前記ワイヤレス通信デバイスが、少なくとも部分的に重複する繰返し期間上で少なくとも２つのアップリンク信号を送信するように設定されることになると決定することと、
前記ワイヤレス通信デバイスが、前記少なくとも２つのアップリンク信号の前記それぞれの繰返し期間を整合させることを可能にすることと
を行うように設定された処理回路を備える、ネットワークノード。
【請求項３９】
前記処理回路は、前記ワイヤレス通信デバイスが、前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させることを可能にするように設定された、請求項３８に記載のネットワークノード。
【請求項４０】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項３９に記載のネットワークノード。
【請求項４１】
前記ワイヤレス通信デバイスが、少なくとも２つのアップリンク信号の繰返し送信を含むカバレッジ拡張モードで動作するように設定された、請求項３８から４０のいずれか一項に記載のネットワークノード。
【発明の詳細な説明】
【技術分野】
【０００１】
本開示の実施形態は、一般にワイヤレス通信の分野に関し、より詳細には、エボルブドマシン型通信（ｅＭＴＣ）デバイスおよび／または狭帯域モノのインターネット（ＮＢ−ＩｏＴ）デバイスなど、ワイヤレス通信デバイスにおけるアップリンク送信タイミング制御に関する。
【背景技術】
【０００２】
第３世代パートナーシップ（３ＧＰＰ）のメンバーによって規格化され、「ＵＭＴＳのＬｏｎｇ  Ｔｅｒｍ  Ｅｖｏｌｕｔｉｏｎ（ＬＴＥ）」（ＬＴＥ）と呼ばれる、ワイヤレスシステムのための現在の仕様は、ワイヤレス通信デバイスが、サービングセルダウンリンクタイミングの検出された変化に応答して、アップリンク送信タイミングを変更することを許容し、これは、そのような変更が、３ＧＰＰ  ＴＳ  ３６．１３３  Ｖ１２．７．０、セクション７．１．２において明記されているルールに従って漸進的に行われることを前提とするものである。たとえば、非初期送信、および１．４ＭＨｚのＬＴＥ帯域幅（最小サンプルレート１．９２ＭＳ／ｓ）の場合、
○  １つの補正における最大タイミング調整は、１７．５ＴＳ（０．６μｓ）を超えないものとし、
○  最小アグリゲート調整レートは、毎秒７ＴＳ（０．２μｓ）であるものとし、
○  最大アグリゲート調整レートは、２００ミリ秒（ｍｓ）当たり１７．５ＴＳ（０．６μｓ）であるものとする。
ネットワークノードは、アップリンク信号に、望ましい時点においてネットワークノード受信機に到着させるために、ワイヤレス通信デバイスに、アップリンク送信タイミングを調整するためのタイミングアドバンスコマンド（ＴＡＣ）を送り得る。
【０００３】
ワイヤレス通信デバイスがカバレッジ拡張モードで動作し、カバレッジ拡張がメッセージ繰返しによって与えられるとき、タイミングアドバンス制御ループレイテンシは、従来のＬＴＥシステム動作におけるものよりも長くなる。これは、複数のサブフレームからのアップリンク参照信号が、望ましい信号受信時間に関する不整合がそれから決定され得るチャネル推定値を決定するために、ネットワークノードによって平均化またはフィルタ処理されなければならないことがあるからである。さらに、半二重周波数分割複信（ＨＤ−ＦＤＤ）構成がワイヤレス通信デバイスによって（たとえば、ＨＤ−ＦＤＤ  ｅＭＴＣおよび／またはＮＢ−ＩｏＴデバイスにおいて）使用されるとき、ネットワークノードは、デバイスにＴＡＣを送る機会がより少なくなる。詳細には、アップリンク送信期間の間に、ＨＤ−ＦＤＤ構成において動作するワイヤレス通信デバイスは、ダウンリンクをリッスンしないことになり、したがって、ダウンリンク受信期間に同調して戻るまでネットワークノードの到達範囲の外側にある。
【０００４】
拡張カバレッジにおいて動作するとき、特に、アップリンク信号がある数の繰返しを伴って送信されるとき、ワイヤレス通信デバイスがワイヤレス通信デバイスのタイミングをどのように、およびいつ調整するかが指定されないので、３ＧＰＰ  ＴＳ  ３６．１３３  Ｖ１２．７．０、セクション７．１．２における既存のルールは、拡張カバレッジモードで動作しており、アップリンク信号送信の繰返しを採用しているデバイス（たとえば、ｅＭＴＣ、ＮＢ−ＩｏＴデバイスなど）に適用され得ない。
【発明の概要】
【０００５】
以下で詳細に説明される技法および装置のうちのいくつかの目的は、上記の欠点のうちの少なくとも１つをなくし、ｅＭＴＣまたはＮＢ−ＩｏＴなどのワイヤレス通信デバイスと、ワイヤレス通信システムにおけるネットワークノードとの間の改善された通信を与えることである。本明細書で説明される技法の第１の態様によれば、目的のうちの１つまたは複数は、ワイヤレス通信システムによって達成される。本システムは、第１の繰返し期間の間の第１のアップリンク信号の繰返し送信を含むカバレッジ拡張モードで動作するように設定されたワイヤレス通信デバイスと、ワイヤレス通信デバイスをサービングするネットワークノードとを備える。ネットワークノードは、ワイヤレス通信デバイスに参照信号を送信するための送信ユニットを備える。ワイヤレス通信デバイスは、参照信号に基づいて、ダウンリンクタイミングの変化を決定するように設定された第１の決定ユニットと、第１の繰返し期間が継続中であるかどうかを決定するように設定された第２の決定ユニットと、ダウンリンクタイミングの変化と、第１の繰返し期間が継続中であることとに応答して、第１の繰返し期間外で第１のアップリンク信号のアップリンク送信タイミングの調整を実施するように設定された調整ユニットとを備える。
【０００６】
別の態様によれば、目的のうちの１つまたは複数は、ネットワークノードによってサービングされ、カバレッジ拡張モードで動作するように設定されたワイヤレス通信デバイスにおけるアップリンク送信タイミング調整のための方法によって達成される。カバレッジ拡張モードは、第１の繰返し期間の間の第１のアップリンク信号の繰返し送信を含む。本方法は、ダウンリンクタイミングの変化を決定することと、第１の繰返し期間が継続中であるかどうかを決定することと、ダウンリンクタイミングの変化と、第１の繰返し期間が継続中であることとに応答して、第１の繰返し期間外で第１のアップリンク信号のアップリンク送信タイミングの調整を実施することとを含む。
【０００７】
また別の態様によれば、目的のうちの１つまたは複数は、ネットワークノードによってサービングされ、カバレッジ拡張モードで動作するように設定されたワイヤレス通信デバイスにおけるアップリンク送信タイミング調整のための方法によって達成される。カバレッジ拡張モードは、それぞれの繰返し期間内の複数のアップリンク信号の繰返し送信を含む。本方法は、それぞれの繰返し期間の重複時間が最大にされるか、または複数のアップリンク信号の単一の送信が最小にされるように、所定のルールに従って、それぞれの繰返し期間の開始ポイントまたは終了ポイントのうちの少なくとも１つを時間的にシフトすることによって、それぞれの繰返し期間を整合させることを含む。
【０００８】
また別の態様によれば、目的のうちの１つまたは複数は、ネットワークノードによってサービングされ、カバレッジ拡張モードで動作するように設定されたワイヤレス通信デバイスによって達成される。カバレッジ拡張モードは、第１の繰返し期間の間の第１のアップリンク信号の繰返し送信を含む。本ワイヤレス通信デバイスは、ダウンリンクタイミングの変化を決定するように設定された第１の決定ユニットと、第１の繰返し期間が継続中であるかどうかを決定するように設定された第２の決定ユニットと、ダウンリンクタイミングの変化と、第１の繰返し期間が継続中であることとに応答して、第１の繰返し期間外で第１のアップリンク信号のアップリンク送信タイミングの調整を実施するように設定された調整ユニットとを備える。
【０００９】
また別の態様によれば、目的のうちの１つまたは複数は、ワイヤレス通信デバイスのためのアップリンク送信タイミング調整プロシージャを拡張するための方法によって達成される。本方法は、ワイヤレス通信デバイスが、少なくとも部分的に重複する繰返し期間上で少なくとも２つのアップリンク信号を送信するように設定されることになると決定することと、ワイヤレス通信デバイスが、少なくとも２つのアップリンク信号のそれぞれの繰返し期間を整合させることを可能にすることとを含む。
【００１０】
また別の態様によれば、目的のうちの１つまたは複数は、ワイヤレス通信デバイスのためのアップリンク送信タイミング調整プロシージャを拡張するためのネットワークノードによって達成される。本ネットワークノードは、ワイヤレス通信デバイスが、少なくとも部分的に重複する繰返し期間上で少なくとも２つのアップリンク信号を送信するように設定されることになると決定するように設定された決定ユニットと、ワイヤレス通信デバイスが、少なくとも２つのアップリンク信号のそれぞれの繰返し期間を整合させることを可能にするように設定された可能化ユニット（ｅｎａｂｌｉｎｇ  ｕｎｉｔ）とを備える。
【００１１】
また別の態様によれば、目的のうちの１つまたは複数は、ネットワークノードによってサービングされ、カバレッジ拡張モードで動作するように設定されたワイヤレス通信デバイスによって達成される。本ワイヤレス通信デバイスは、命令を記憶した非一時的機械可読記憶媒体と、非一時的機械可読記憶媒体に通信可能に結合されたプロセッサとを備える。プロセッサは、ワイヤレス通信デバイスにおける方法を実施するために、非一時的機械可読記憶媒体に記憶された命令を実行するように設定される。
【００１２】
また別の態様によれば、目的のうちの１つまたは複数は、ワイヤレス通信デバイスのためのアップリンク送信タイミング調整プロシージャを拡張するためのネットワークノードによって達成される。本ネットワークノードは、命令を記憶した非一時的機械可読記憶媒体と、非一時的機械可読記憶媒体に通信可能に結合されたプロセッサとを備える。プロセッサは、ネットワークノードにおける方法を実施するために、非一時的機械可読記憶媒体に記憶された命令を実行するように設定される。
【００１３】
また別の態様によれば、目的のうちの１つまたは複数は、サービングセルによってサービングされるＵＥにおける方法によって達成される。本方法は、サービングセルからＵＥにおいて受信された参照信号のダウンリンクタイミングが、ある量だけ基準時間に関して変化したと決定するステップと、ＵＥが、時間期間（Ｔ０）上でのある繰返しを伴う第１のアップリンク信号を送信するように設定されるかどうかを決定するステップと、第１の信号を送信するためのアップリンク送信タイミングが調整される調整時間リソースを決定するステップとを含み、その調整時間リソースは、ダウンリンク受信タイミングの決定された変化に応答して決定され、ＵＥが、繰返しを伴う第１の信号で設定されるのか、繰返しを伴わない第１の信号で設定されるのかに依存する（たとえば、サブフレームなど、調整時間リソースは、繰返しが設定された場合、Ｔ０の直後に生じる）。
【００１４】
また別の態様によれば、目的のうちの１つまたは複数は、サービングセルによってサービングされるＵＥにおける方法によって達成される。本方法は、サービングセルからＵＥにおいて受信された参照信号のダウンリンクタイミングが、ある量だけ基準時間に関して変化したと決定するステップと、ＵＥが、時間期間（Ｔ１）上でのある繰返しを伴う第１のアップリンク信号と、時間期間（Ｔ２）上でのある繰返しを伴う第２のアップリンク信号とを含む、少なくとも部分的に重複する繰返し期間上で少なくとも２つのアップリンク信号を送信するように設定されることになると決定するステップと、第１の信号および第２の信号のうちの少なくとも１つを送信するためのアップリンク送信タイミングが調整される調整時間リソースを決定するステップとを含み、その調整時間リソースは、ダウンリンク受信タイミングの決定された変化に応答して決定され、Ｔ１の開始時間とＴ２の開始時間との間の関係、および／またはＴ１の終了時間とＴ２の終了時間との間の関係にさらに依存する（たとえば、サブフレームなど、調整時間リソースは、Ｔ２がＴ１の後に終了する場合、Ｔ２の直後に生じる）。
【００１５】
また別の態様によれば、目的のうちの１つまたは複数は、ＵＥをサービングするネットワークノードにおける方法によって達成される。本方法は、サービングセルからＵＥにおいて受信された参照信号のダウンリンクタイミングが、ある量だけ基準時間に関して変化したと決定するステップと、ＵＥが、時間期間（Ｔ１）上でのある繰返しを伴う第１のアップリンク信号と、時間期間（Ｔ２）上でのある繰返しを伴う第２のアップリンク信号とを含む、少なくとも部分的に重複する繰返し期間上で少なくとも２つのアップリンク信号を送信するように設定されることになると決定するステップと、Ｔ１およびＴ２が、ある関係、たとえば、Ｔ１およびＴ２が、同時に、たとえば、同じサブフレームにおいてなど、同じ時間リソースにおいて開始することと、Ｔ１およびＴ２が、同時に、たとえば、同じサブフレームにおいてなど、同じ時間リソースにおいて終了することと、Ｔ１およびＴ２が、ある持続時間（Δ１）内に、たとえば、５つのサブフレームなど、Ｘ個の時間リソース内に開始することと、Ｔ１およびＴ２が、ある持続時間（Δ２）内に、たとえば、１０個のサブフレームなど、Ｙ個の時間リソース内に終了することとのうちの１つまたは複数によって関係付けられるように、ＵＥが第１のアップリンク信号および第２のアップリンク信号を送信することを可能にするための情報を伴ってＵＥを設定するステップとを含む。
【００１６】
また別の態様によれば、目的のうちの１つまたは複数は、プロセッサによって実行されたとき、プロセッサに、上記の方法のうちの１つまたは複数を行わせる命令を搬送するコンピュータ可読媒体によって達成される。
【００１７】
また別の態様によれば、目的のうちの１つまたは複数は、プロセッサによって実行されたとき、プロセッサに、上記の方法のうちの１つまたは複数を行わせる、ワイヤレス通信デバイスまたはネットワークノードのプロセッサによってアクセス可能なコンピュータプログラムによって達成される。
【００１８】
これらの態様のうちの１つまたは複数は、ネットワークノード側における繰り返されるアップリンク送信の累積およびフィルタ処理を可能にし、したがって、ワイヤレス通信システムのアップリンクスループットを改善することができる。
【００１９】
本開示における実施形態が、以下の説明と、本開示の実施形態を示すために使用される添付の図面とを参照することによって最も良く理解され得る。
【図面の簡単な説明】
【００２０】
【図１】例示的な実施形態による、ワイヤレス通信システムの簡略ブロック図である。
【図２ａ】例示的な実施形態による、アップリンク送信タイミング制御のためのワイヤレス通信デバイスによって実施される方法を示す図である。
【図２ｂ】別の例示的な実施形態による、アップリンク送信タイミング制御のためのワイヤレス通信デバイスによって実施される方法を示す図である。
【図３ａ】例示的な実施形態による、ワイヤレス通信デバイスの簡略ブロック図である。
【図３ｂ】別の例示的な実施形態による、ワイヤレス通信デバイスの簡略ブロック図である。
【図４】例示的な実施形態による、アップリンク送信タイミング制御のためのネットワークノードによって実施される方法を示す図である。
【図５ａ】例示的な実施形態による、ネットワークノードの簡略ブロック図である。
【図５ｂ】別の例示的な実施形態による、ネットワークノードの簡略ブロック図である。
【発明を実施するための形態】
【００２１】
本明細書で説明される実施形態の上記および他の目的、特徴、および利点は、様々な図全体にわたって参照符号が同じ部分を指す添付の図面に示されている好ましい実施形態の以下のより具体的な説明から明らかになろう。図面は必ずしも一定の縮尺であるとは限らず、いくつかの特徴の寸法は明快のために誇張されていることがある。代わりに、本明細書では、実施形態の原理を示すことに重きが置かれている。
【００２２】
別段に定義されていない限り、本明細書で使用される技術用語および科学用語は、本開示が属する技術の当業者によって通常理解されるものと同じ意味を有する。コンテキストから別段に明らかでない限り、本明細書で使用される「第１の」、「第２の」などという用語は、順序、量、または重要性を示すのではなく、むしろ、ある要素を別の要素と区別するために使用される。また、「ａ」および「ａｎ」という用語は、量の限定を示すのではなく、むしろ、参照された項目のうちの少なくとも１つの存在を示す。「または」という用語は、包含的であり、リストされた項目のうちの１つ、いくつか、またはすべてを意味するものである。本明細書における「含む（ｉｎｃｌｕｄｉｎｇ）」、「備える／含む（ｃｏｍｐｒｉｓｉｎｇ）」または「有する（ｈａｖｉｎｇ）」およびそれらの変形形態の使用は、その後リストされる項目およびそれらの等価物ならびに追加の項目を包含するものである。「接続された」、「結合された」という用語は、物理的または機械的接続または結合に限定されず、直接的か間接的かにかかわらず、電気的接続または結合を含むことができる。さらに、「回路（ｃｉｒｃｕｉｔ）」、「回路（ｃｉｒｃｕｉｔｒｙ）」、「コントローラ」、および「プロセッサ」という用語は、単一の構成要素、あるいは能動的および／または受動的のいずれかであり、説明される機能を与えるために互いに接続されたかまたはさもなければ結合された複数の構成要素のいずれかを含み得る。
【００２３】
「一実施形態」、「実施形態」、「例示的な実施形態」などへの本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関するそのような特徴、構造、または特性に影響を及ぼすことは当業者の知識内にあることが具申される。
【００２４】
破線の境界線（たとえば、大きい破線、小さい破線、一点鎖線、および点）をもつ括弧内のテキストおよびブロックは、本開示の実施形態に追加の特徴を追加する随意の動作を示すために本明細書で使用され得る。しかしながら、そのような記法は、これらが唯一のオプションまたは随意の動作であること、および／または実線の境界線をもつブロックが、本開示のいくつかの実施形態において随意でないことを意味するようにとられるべきではない。
【００２５】
以下の説明および特許請求の範囲において、「結合された」および「接続された」という用語は、それらの派生語とともに、使用され得る。これらの用語は、互いのための類義語として意図されないことを理解されたい。「結合された」は、互いに直接物理的にまたは電気的に接触していることも接触していないこともある２つまたはそれ以上の要素が、協働するかまたは互いに対話することを示すために使用される。「接続された」は、互いに結合された２つまたはそれ以上の要素間の通信の確立を示すために使用される。
ｅＭＴＣ
【００２６】
投稿文書３ＧＰＰ  ＲＰ−１５２０２４および３ＧＰＰ  Ｒ１−１５７９２６として３ＧＰＰによって識別される３ＧＰＰ技術投稿において明記されているｅＭＴＣ特徴は、ＵＥカテゴリーＭ１（または略してＣａｔ−Ｍ１）と呼ばれる低複雑度ユーザ機器（ＵＥ）カテゴリーと、ＵＥカテゴリーＭ１または他のＬＴＥ  ＵＥカテゴリーとともに使用され得るカバレッジ拡張技法（ＣＥモードＡおよびＢ）とを含む。
【００２７】
３ＧＰＰ  ＴＳ  ３６．１３３  Ｖ１２．７．０、セクション７．１．２において定義されている、Ｃａｔ−Ｍ１とＣＥモードＡおよびＢの両方のための、すべてのｅＭＴＣ特徴は、通常ＬＴＥと比較して低減された最大チャネル帯域幅を使用して動作する。ｅＭＴＣにおける最大チャネル帯域幅は１．４ＭＨｚであるが、通常ＬＴＥでは最大チャネル帯域幅は最高２０ＭＨｚである。ｅＭＴＣ  ＵＥは、概して問題なしに、依然として、より大きいＬＴＥシステム帯域幅内で動作することが可能である。通常ＬＴＥ  ＵＥと比較した主な違いは、ｅＭＴＣが、一度に６つの物理リソースブロック（ＰＲＢ）を用いてスケジュールされるにすぎないことがあることであり、ここで、これらのＰＲＢの各々は、１８０ｋＨｚの帯域幅を有する。
【００２８】
ＣＥモードＡおよびＢでは、物理チャネルのカバレッジは、様々なカバレッジ拡張技法を通して拡張され、最も重要なことは繰返しまたは再送信である。それの最も単純な形態では、これは、送信されるべき１ミリ秒サブフレームが、小さいカバレッジ拡張が必要とされる場合、ある回数、たとえば、ほんの数回繰り返されるか、または大きいカバレッジ拡張が必要とされる場合、数百または数千回繰り返されることを意味する。
ＮＢ−ＩｏＴ
【００２９】
３ＧＰＰの狭帯域モノのインターネット（ＮＢ−ＩｏＴ）イニシアチブの目的は、改善された屋内カバレッジに対処するＥ−ＵＴＲＡ（ＬＴＥ）の非後方互換性変形態、大量の低スループットデバイスのサポート、低遅延感度、超低デバイスコスト、低デバイス電力消費および（最適化された）ネットワークアーキテクチャに大いに基づいて、セルラーモノのインターネット（ＩｏＴ）のための無線アクセスを指定することである。
【００３０】
ＮＢ−ＩｏＴキャリアＢＷ（Ｂｗ２）は２００ＫＨｚである。対照的に、ＬＴＥの動作帯域幅（Ｂｗ１）の例は、１．４ＭＨｚ、３ＭＨｚ、５ＭＨｚ、１０ＭＨｚ、１５ＭＨｚ、２０ＭＨｚなどである。
【００３１】
ＮＢ−ＩｏＴ無線アクセスは、以下の３つの異なる動作モードをサポートする。
１．  たとえば、１つまたは複数のＧＳＭキャリアの代替としてＧＥＲＡＮシステムによって現在使用されているスペクトルを利用する「スタンドアロン動作」。原則として、この動作モードは、別のコロケートされた（または重複する）システムのキャリア内にも、別のシステムの動作キャリアのガード帯域内にもないキャリア周波数を使用することができる。他のシステムは、別のＮＢ−ＩｏＴ動作または他の無線アクセス技術（ＲＡＴ）、たとえば、ＬＴＥであり得る。
２．  ＬＴＥキャリアのガード帯域内の未使用リソースブロックを利用する「ガード帯域動作」。ガード帯域という用語は、ガード帯域幅と互換的に呼ばれることもある。一例として、２０ＭＨｚのＬＴＥ  ＢＷ（すなわち、Ｂｗ１＝２０ＭＨｚまたは１００ＲＢ）の場合、ＮＢ−ＩＯＴのガード帯域動作は、中心１８ＭＨｚ外であるが２０ＭＨｚ  ＬＴＥ  ＢＷ内のどこにでも配置され得る。
３．  通常ＬＴＥキャリア内のリソースブロックを利用する「帯域内動作」。帯域内動作は、帯域幅内動作（ｉｎ−ｂａｎｄｗｉｄｔｈ  ｏｐｅｒａｔｉｏｎ）と互換的に呼ばれることもある。より一般的には、別のＲＡＴのＢＷ内のあるＲＡＴの動作も、帯域内動作と呼ばれる。一例として、５０個のＲＢのＬＴＥ  ＢＷ（すなわち、１０ＭＨｚまたは５０個のＲＢのＢｗ１）では、５０個のＲＢ内の１つのリソースブロック（ＲＢ）上のＮＢ−ＩｏＴ動作が、帯域内動作と呼ばれる。
【００３２】
ＮＢ−ＩｏＴでは、ダウンリンク送信は、すべてのシナリオ、すなわち、スタンドアロン、ガード帯域、および帯域内のための１５ｋＨｚサブキャリア間隔をもつ、直交周波数分割多重（ＯＦＤＭ）に基づく。アップリンク送信の場合、シングルキャリア周波数分割多元接続（ＳＣ−ＦＤＭＡ）に基づくマルチトーン送信と、シングルトーン送信の両方がサポートされる。これは、ダウンリンクにおける、および部分的にアップリンクにもおけるＮＢ−ＩｏＴのための物理的波形が、レガシーＬＴＥにおける物理的波形と同様であることを意味する。
【００３３】
ダウンリンク設計では、ＮＢ−ＩｏＴは、異なる物理チャネルによって搬送されるマスタ情報ブロードキャストとシステム情報ブロードキャストの両方をサポートする。帯域内動作の場合、ＮＢ−ＩｏＴ  ＵＥが、レガシーＰＲＢインデックスを知ることなしに（ＮＰＢＣＨとも呼ばれる）ＮＢ−ＰＢＣＨを復号することが可能である。ＮＢ−ＩｏＴは、物理ダウンリンク制御チャネル（ＮＰＤＣＣＨとも呼ばれる、ＮＢ−ＰＤＣＣＨ）と、物理ダウンリンク共有チャネル（ＮＰＤＳＣＨとも呼ばれる、ＰＤＳＣＨ）の両方をサポートする。ＮＢ−ＩｏＴ無線アクセスの動作モードがＵＥに示されなければならず、現在、３ＧＰＰは、（ＮＳＳＳとも呼ばれる）ＮＢ−ＳＳＳ、（ＮＰＢＣＨとも呼ばれる、ＮＢ−ＰＢＣＨ上で搬送される）ＮＢ−ＭＩＢ、または場合によっては他のダウンリンク信号による指示を考慮する。
【００３４】
ＮＢ−ＩｏＴにおいて使用されるべき参照信号は、まだ指定されていない。しかしながら、一般的な設計原理がレガシーＬＴＥの設計原理に従うことになることが予想される。ダウンリンク同期信号は、１次同期信号（ＮＰＳＳとも呼ばれる、ＮＢ−ＰＳＳ）と、２次同期信号（ＮＳＳＳとも呼ばれる、ＮＢ−ＳＳＳ）とから構成される可能性が高いであろう。
半二重動作
【００３５】
半二重（ＨＤ）動作、またはより詳細には半二重ＦＤＤ（ＨＤ−ＦＤＤ）動作では、アップリンク（ＵＬ）送信およびダウンリンク（ＤＬ）送信は、ぺアにされた異なるキャリア周波数上で行われるが、同じセル中で時間的に同時に行われない。これは、アップリンク送信およびダウンリンク送信が、異なる時間リソースにおいて行われることを意味する。時間リソースの例は、シンボル、タイムスロット、サブフレーム、送信時間間隔（ＴＴＩ）、インターリービング時間などである。言い換えれば、アップリンクおよびダウンリンク（たとえば、サブフレーム）は時間的に重複しない。ダウンリンク、アップリンク、または未使用サブフレームのために使用されるサブフレームの数およびロケーションは、フレームごとに、または複数のフレームごとに変動することがある。たとえば、ある無線フレーム（たとえば、フレーム＃１）では、サブフレーム＃９、＃０、＃４および＃５はダウンリンクのために使用され得、サブフレーム＃２および＃７はアップリンク送信のために使用される。しかし、別のフレーム（たとえば、フレーム＃２）では、サブフレーム＃０および＃５はダウンリンクのために使用され、サブフレーム＃２、＃３、＃５、＃７および＃８はアップリンク送信のために使用される。
タイミングアドバンス
【００３６】
アップリンクＳＣ−ＦＤＭＡ送信における直交性を保存するために、ＬＴＥにおける複数のユーザ機器（ＵＥ）からのアップリンク送信は、基地局、たとえば、ＬＴＥ  ｅノードＢなど、受信機において時間整合される必要がある。これは、同じｅノードＢの制御下にあるＵＥの送信タイミングが、ＵＥの受信信号がほぼ同時にｅノードＢ受信機に到着することを保証するように調整されるべきであることを意味する。より詳細には、ＵＥの受信信号は、サイクリックプレフィックス（ＣＰ）内でうまく到着するべきであり、ここで、ノーマルＣＰ長は約４．７μｓである。これは、ｅノードＢ受信機が、複数のＵＥからの信号を受信および処理するために、同じリソース、すなわち、同じ離散フーリエ変換（ＤＦＴ）リソースまたは高速フーリエ変換（ＦＦＴ）リソースを使用することが可能であることを保証する。
【００３７】
アップリンクタイミングアドバンス（ＴＡ）が、そのＵＥからのアップリンク送信に関する測定値に基づいてＵＥに送られる、タイミング整合コマンドとも呼ばれる、タイミングアドバンスコマンドを通してｅノードＢによって維持される。たとえば、ｅノードＢは、各ＵＥが、そのＵＥに必要とされるＴＡの値を決定するために、２方向伝搬遅延またはラウンドトリップ時間を測定する。
【００３８】
サブフレームｎ上で受信されたタイミングアドバンスコマンドの場合、アップリンク送信タイミングの対応する調整は、サブフレームｎ＋６の始めからＵＥによって適用される。タイミングアドバンスコマンドは、１６Ｔｓの倍数として、ＵＥ送信の現在のアップリンクタイミングに対するアップリンクタイミングの変化を示し、ここで、Ｔｓ＝３２．５ｎｓであり、ＬＴＥにおいて「基本時間単位」と呼ばれる。
【００３９】
ｅノードＢによって送信されるランダムアクセス応答メッセージの場合、タイミングアドバンスグループ（ＴＡＧ）のための１１ビットタイミングアドバンスコマンド（ＴＡ）は、ＴＡ＝０、１、２、．．．、１２８２のインデックス値によってＮＴＡ値を示し、ここで、ＴＡＧのための時間整合の量は、ＮＴＡ＝ＴＡ×１６によって与えられる。ＮＴＡは、セクション「特定のサブフレームオフセットをもつＥ−ＵＴＲＡ  ＴＤＤ測定ギャップの整合」において上記で定義されている。
【００４０】
他の場合には、ＴＡＧのための６ビットタイミングアドバンスコマンド（ＴＡ）は、ＴＡ＝０、１、２、．．．、６３のインデックス値による、現在のＮＴＡ値（ＮＴＡ、ｏｌｄ）の、新しいＮＴＡ値（ＮＴＡ、ｎｅｗ）への調整を示し、ここで、ＮＴＡ、ｎｅｗ＝ＮＴＡ、ｏｌｄ＋（ＴＡ−３１）×１６である。ここで、正または負の量によるＮＴＡ値の調整は、それぞれ、所与の量だけＴＡＧのためのアップリンク送信タイミングを進めることまたは遅延させること示す。
【００４１】
タイミングアドバンス更新は、ＭＡＣ  ＰＤＵにおいて、ＵＥにエボルブドノードＢ（ｅＮＢ）によってシグナリングされる。
カバレッジ拡張
【００４２】
ＩｏＴデバイスと基地局との間の経路損失は、デバイスが、建築物の地階中など、遠隔ロケーション中にあるセンサーまたは計量デバイスとして使用されるときなど、いくつかのシナリオでは極めて大きくなり得る。そのようなシナリオでは、基地局からの信号の受信は極めて難しいことがある。たとえば、経路損失は、通常動作と比較して２０ｄＢだけより悪くなり得る。そのような課題に対処するために、アップリンクにおけるおよび／またはダウンリンクにおけるカバレッジは、（レガシーカバレッジとも呼ばれる）通常カバレッジに関して実質的に拡張されなければならない。これは、カバレッジを拡張するためのＵＥにおけるおよび／または無線ネットワークノードにおける１つまたは複数の高度技法を採用することによって実現される。そのような高度技法のいくつかの非限定的な例は、送信電力ブースティング、送信信号の繰返し、送信信号に追加の冗長性を適用すること、高度／拡張受信機アーキテクチャの使用などを含む。概して、そのようなカバレッジ拡張技法を採用するとき、ＩｏＴ無線アクセスは、「カバレッジ拡張（ｃｏｖｅｒａｇｅ  ｅｎｈａｎｃｉｎｇ）モード」またはカバレッジ拡大（ｃｏｖｅｒａｇｅ  ｅｘｔｅｎｄｉｎｇ）モードで動作していると見なされる。
【００４３】
カバレッジ拡張が送信繰返しによって与えられるとき、カバレッジ拡張モードＡおよびＢのための、それぞれ、ＰＤＳＣＨおよびＰＵＳＣＨのための繰返しの最大数は、セル固有ブロードキャストパラメータによって与えられる。
・  ｐｄｓｃｈ−ｍａｘＮｕｍＲｅｐｅｔｉｔｉｏｎＣＥｍｏｄｅＡ（最高３２回の繰返し）、
・  ｐｄｓｃｈ−ｍａｘＮｕｍＲｅｐｅｔｉｔｉｏｎＣＥｍｏｄｅＢ（最高２０４８回の繰返し）、
・  ｐｕｓｃｈ−ｍａｘＮｕｍＲｅｐｅｔｉｔｉｏｎＣＥｍｏｄｅＡ（最高３２回の繰返し）、
・  ｐｕｓｃｈ−ｍａｘＮｕｍＲｅｐｅｔｉｔｉｏｎＣＥｍｏｄｅＢ（最高２０４８回の繰返し）。
【００４４】
特定のワイヤレス通信デバイスによって使用するための繰返しの厳密な数は、ダウンリンク制御チャネルＭ−ＰＤＣＣＨ上で搬送されるダウンリンク制御情報（ＤＣＩ）を介して動的にシグナリングされる。このチャネルも、各ワイヤレス通信デバイスのために個々に設定された特定の繰返し数に従って繰り返され得る。
・  ｍＰＤＣＣＨ−ＮｕｍＲｅｐｅｔｉｔｉｏｎ（最高２５６回の繰返し）。
ワイヤレス通信デバイスがアップリンク制御チャネル上で送信するとき、ワイヤレス通信デバイスは、ネットワークノードによって個々に設定された繰返しを使用し得る。
・  ｐｕｃｃｈ−ＮｕｍＲｅｐｅｔｉｔｉｏｎＣＥ−Ｆｏｒｍａｔ１（最高８回（モードＡ）の繰返し、または最高３２回（モードＢ）の繰返し）、
・  ｐｕｃｃｈ−ＮｕｍＲｅｐｅｔｉｔｉｏｎＣＥ−Ｆｏｒｍａｔ２（最高８回（モードＡ）の繰返し、または最高３２回（モードＢ）の繰返し）。
したがって、カバレッジに応じて、ワイヤレス通信デバイスは異なる数の繰返しを適用し得る。
【００４５】
低複雑度ＵＥ（たとえば、１つの受信機または「Ｒｘ」をもつＵＥ）も、拡張カバレッジ動作モードをサポートすることが可能であり得る。セルに関するＵＥのカバレッジレベルは、そのセルに関する、信号品質、信号強度または経路損失など、信号レベルとして表され得る。
例示的なワイヤレス通信システム
【００４６】
図１は、本明細書で説明される１つまたは複数の実施形態が実装され得る例示的なワイヤレス通信システム１００の簡略ブロック図である。ワイヤレス通信システム１００は、ＬＴＥシステムに関して、ＬＴＥ用語を使用して以下で説明され得る。しかしながら、システム１００のコンテキストにおいて説明される技法および装置は、好適な変更により、ＵＥが、信号（たとえば、データ）、たとえば、ＬＴＥ  ＦＤＤ／ＴＤＤ、ＷＣＤＭＡ／ＨＳＰＡ、ＧＳＭ／ＧＥＲＡＮ、Ｗｉ  Ｆｉ、ＷＬＡＮ、ＣＤＭＡ２０００、ＮＲなどを受信および／または送信する、ＲＡＴシステムまたはマルチＲＡＴシステムに適用可能であり得る。ネットワークノードは、２つ以上のセルを使用する、たとえば、ＰＣｅｌｌ、ＳＣｅｌｌ、ＰＳＣｅｌｌを使用する動作のために設定され得る。
【００４７】
例示的な一実施形態では、ワイヤレス通信システム１００は、少なくとも１つのネットワークノード１２０と、ネットワークノード１２０によってサービングされる少なくとも１つのワイヤレス通信デバイス１１０とを含み得る。図１に示されているネットワークノード１２０および／またはワイヤレス通信デバイス１１０の数は、例示的なものにすぎず、限定的ではない。ネットワークノード１２０は、無線基地局と呼ばれ、当技術分野では、時々、マクロ基地局、ノードＢ、またはＢノード、ｅノードＢ（ｅＮＢ）と呼ばれることもあり、当技術分野では、時々、マイクロ／フェムト／ピコ基地局、マイクロ／フェムト／ピコノードＢ、またはマイクロ／フェムト／ピコＢノード、マイクロ／フェムト／ピコｅノードＢ（ｅＮＢ）と呼ばれることもある。さらに、ネットワークノード１２０はまた、ｅノードＢが行うのと同様の、本明細書のＤ２Ｄ通信への寄与を可能にすることができる、ＷＬＡＮアクセスポイントなど、ワイヤレスネットワークにおける他のデバイスであり得る。
【００４８】
ワイヤレス通信デバイス１１０はセルによってサービングされ得、異なるセルによってサービングされる数が同等である必要はない。本明細書で使用される「ワイヤレス通信デバイス」という用語は、携帯電話（「セルラー」電話）、およびモバイル終端をもつラップトップなど、通信ネットワークを介して通信することを可能にされたデバイスのすべての形式を示し得、したがって、たとえば、音声および／またはデータを無線アクセスネットワークと通信する、モバイルフォン、スマートフォン、携帯情報端末（ＰＤＡ）など、ポータブル、ポケット、ハンドヘルドデバイス、デスクトップ、ラップトップなど、コンピュータを含むデバイス、車両、またはメーター、家庭用器具、医療器具、マルチメディアデバイスなど、他のデバイスなどであり得る。
【００４９】
図３ａは、例示的な実施形態による、ワイヤレス通信デバイス１１０の簡略ブロック図である。図３ａに示されているように、ワイヤレス通信デバイス１１０は、限定はしないが、互いと動作可能に結合された、調整ユニット３２０と、第１の決定ユニット３１０と、第２の決定ユニット３３０と、第３の決定ユニット３４０とを備え得る。
【００５０】
図５ａは、例示的な実施形態による、ネットワークノード１２０の簡略ブロック図である。図５ａに示されているように、ネットワークノード１２０は、限定はしないが、互いと動作可能に結合された、決定ユニット５１０と、可能化ユニット５２０と、送信ユニット５３０とを備え得る。
【００５１】
ワイヤレス通信システム１００に関するさらなる詳細が、以下で図１、図３ａおよび図５ａに関して説明され得る。
【００５２】
一実施形態では、ネットワークノード１２０は、送信ユニット５３０を介してワイヤレス通信デバイス１１０に参照信号を送信し、ワイヤレス通信デバイス１１０は、繰返し期間の間のアップリンク信号の繰返し送信を含む拡張カバレッジモードで動作することと、第１の決定ユニット３１０を介して参照信号からのダウンリンクタイミングの変化を決定することとを行うように設定され得る。たとえば、ワイヤレス通信デバイス１１０は、サービングセルからの受信された参照信号のダウンリンクタイミングが、ある量だけ基準時間に関して変化したと決定し得る。ワイヤレス通信デバイス１１０は、第２の決定ユニット３３０を介して、繰返し期間が継続中であるかどうかを決定するようにさらに設定され得る。ダウンリンクタイミングの変化に応答して、ワイヤレス通信デバイス１１０は、調整ユニット３２０を介して繰返し期間外でアップリンク信号のアップリンク送信タイミングの調整を実施するように設定され得る。
【００５３】
別の実施形態では、ネットワークノード１２０は、決定ユニット５１０を介して、ワイヤレス通信デバイス１１０が、時間期間Ｔ１上でのある繰返しを伴う第１のアップリンク信号と、時間期間Ｔ２上でのある繰返しを伴う第２のアップリンク信号とを含む、少なくとも部分的に重複された繰返し期間をもつ少なくとも２つのアップリンク信号を送信するように設定されることになると決定し、したがって、可能化ユニット５２０を介して、ワイヤレス通信デバイス１１０が、繰返し期間Ｔ１およびＴ２の重複時間が最大にされ得るか、または少なくとも２つのアップリンク信号の単一の送信が最小にされ得るように、所定のルールに従って、繰返し期間Ｔ１と繰返し期間Ｔ２とを整合させることを可能にし得る。
【００５４】
たとえば、ネットワークノード１２０は、ワイヤレス通信デバイス１１０が、繰返し期間Ｔ１およびＴ２が、ある関係、たとえば、以下のうちの１つまたは複数によって関係付けられるように、第１のアップリンク信号および第２のアップリンク信号を送信することを可能にするための情報を用いてワイヤレス通信デバイス１１０を設定し得る。
・  繰返し期間Ｔ１およびＴ２が、同時に、たとえば、同じサブフレームにおいてなど、同じ時間リソースにおいて開始すること、
・  繰返し期間Ｔ１およびＴ２が、同時に、たとえば、同じサブフレームにおいてなど、同じ時間リソースにおいて終了すること、
・  繰返し期間Ｔ１およびＴ２が、ある持続時間（Δ１）内に、たとえば、５つのサブフレームなど、Ｘ個の時間リソース内に開始すること、および
・  繰返し期間Ｔ１およびＴ２が、ある持続時間（Δ２）内に、たとえば、１０個のサブフレームなど、Ｙ個の時間リソース内に終了すること。
【００５５】
一実施形態では、ワイヤレス通信デバイス１１０における第３の決定ユニット３４０は、ネットワークノードによって送信されるダウンリンク制御情報（ＤＣＩ）であって、第１のアップリンク信号の繰返し送信のために使用すべき繰返数に関する明示的または暗黙的情報を含んでいる、ＤＣＩと、ネットワークノードによって与えられる無線リソース制御（ＲＲＣ）構成であって、ＲＲＣ構成が、無線リソース時間単位中のワイヤレス通信デバイスのためのリソース数を含んでおり、リソース数が、繰返数を明示的または暗黙的に示す、ＲＲＣ構成とのうちの１つに基づいて、繰返し期間が１つの無線リソース時間単位よりも長いかどうかを決定するように設定され得る。
例示的なワイヤレス通信デバイス
【００５６】
ＥＵＴＲＡＮ規格に準拠するワイヤレス通信デバイスのタイミング調整挙動は、３ＧＰＰ  ３６．１３３  Ｖ１２．９．０、セクション７．１．２において明記されているいくつかのルールによって管理される。これらのルールによれば、非初期送信、およびＬＴＥ帯域幅１．４ＭＨｚ（最小サンプルレート１．９２ＭＳ／ｓ）の場合、
○  １つの補正における最大タイミング調整は、１７．５ＴＳ（０．６μｓ）を超えないものとし、
○  最小アグリゲート調整レートは、毎秒７ＴＳ（０．２μｓ）であるものとし、
○  最大アグリゲート調整レートは、２００ｍｓ当たり１７．５ＴＳ（０．６μｓ）であるものとする。
初期送信、およびＬＴＥ帯域幅１．４ＭＨｚ（最小サンプルレート１．９２ＭＳ／ｓ）の場合、
○  初期送信タイミング誤差は±２４＊ＴＳ（０．８μｓ）よりも小さいものとする。
初期送信によって、規格は、ＰＵＣＣＨ、ＰＵＳＣＨ、およびＳＲＳのＤＲＸサイクルにおける第１の送信、またはＰＲＡＣＨの送信を指す。非初期送信によって、規格は、初期送信に続く送信を指す。
【００５７】
繰返しのＨＤ−ＦＤＤアップリンクバーストにおける第１の送信が初期送信と見なされるべきであるか否かが規格において明記されていない。ワイヤレス通信デバイスがアップリンク送信の始まりより前のＤＲＸ非アクティビティ期間中になく、ＨＤ−ＦＤＤアップリンクバーストがＰＲＡＣＨの送信でないので、アップリンクバーストにおける第１の送信は非初期送信と見なされ得る。そのような実装形態では、ＨＤ−ＦＤＤのダウンリンク繰返し期間の間に検出されたサービングセルタイミングドリフトが、アップリンク繰返し期間の間に補正されることになり、上記で要約された非初期送信のための既存のルールに従って、漸進的に補正されることになる。
【００５８】
アップリンク繰返し期間の間の漸進的なアップリンクタイミング変化が、ネットワークノードにとって特に厄介であり得る。漸進的なタイミング変化は、受信信号の（線形）位相の漸進的な変化を生じ、したがって、知覚された無線チャネルを変化させる。時間領域上のチャネル推定値の累積またはフィルタ処理が、ひずんだチャネル推定値を生じ得、信号のメッセージ部分の累積が、同様に、ひずんだ累積メッセージにつながり得る。ひずみは、今度は、ネットワークノードにおける劣化したデコーダ性能を生じる。
【００５９】
ダウンリンク繰返し期間とアップリンク繰返し期間とが互いに重複し得る、ＦＤＤ構成またはＴＤＤ構成におけるｅＭＴＣ動作では、ワイヤレス通信デバイスは、継続中のアップリンク送信バーストの間にダウンリンクセルタイミングに関する新しい情報を収集し得る。ワイヤレス通信デバイスが繰返し期間の間にアップリンクタイミングを変更する場合、アップリンクタイミングの漸進的な変化は、ネットワークノードにおける劣化したデコーダ性能とともに、上記で説明されたネットワークノード受信機側の累積またはフィルタ処理された信号のひずみをもたらすことになる。ＨＤ−ＦＤＤ事例との１つの差異は、第１に、デバイスが、ダウンリンクキャリアと同期するより多くの機会を有し、第２に、アップリンク送信電力増幅器（ＰＡ）が、ＵＥがダウンリンクキャリアに同期する時間の間に動作しているので、ワイヤレス通信デバイスの周波数ドリフトは比較的小さく、温度のより少ない変動、したがって、水晶発振器からのより安定した周波数基準につながることが予想され得ることである。
【００６０】
ＮＢ−ＩｏＴ無線アクセスでは、ＮＢ−ＩｏＴダウンリンクシステム帯域幅が、２００ｋＨｚに制限される、すなわち、ｅＭＴＣの場合よりもかなり少ないので、約２４０ｋＳ／ｓのダウンリンクサンプルレートを使用することが十分であろうことが予見される。より低いサンプルレートは、１つのサンプル調整が±１２８ＴＳ（±４．２μｓ）に対応するので、潜在的に、より劇的なサービングセルダウンリンクタイミング調整につながる。１つのサンプル長さのダウンリンクタイミングの調整の場合、ＥＵＴＲＡＮからの既存のソリューションがＮＢ−ＩｏＴのためにも使用される場合、アップリンクタイミングを適応させることは、１．５秒（２００ｍｓ当たり１７．５ＴＳの最大変化から導出された１５００個のアップリンクＴＴＩ）を占めることになる。この時間の間に、アップリンク送信タイミングの漸進的な変化は、上記で説明されたひずみにつながることになる。
【００６１】
明らかに、そのようなアップリンク送信タイミング制御は、アップリンク送信の繰返しが使用される通信に関与するワイヤレス通信デバイスにとって十分ではない。本明細書で説明される技法および装置は、これらの問題に対処し、ワイヤレス端末、たとえば、ある数の繰返しを伴う、アップリンクにおける信号を送信するために設定されたＵＥのための複数の実施形態を含む。本明細書における信号という用語は、以下のいずれかを指すことがある。
・  物理信号。物理信号は上位レイヤ情報を含んでいない。アップリンク物理信号の例は、ＳＲＳ、ＤＭＲＳ、任意のタイプの参照信号などである。
・  物理チャネル。物理チャネルは、上位レイヤ情報、たとえば、ＲＲＣメッセージ、データ、ＭＡＣ、スケジューリング情報、ＨＡＲＱ情報、ＣＳＩのような測定結果などを含んでいる。アップリンク物理チャネルの例は、ＰＵＣＣＨ、Ｍ−ＰＵＣＣＨ、（ＮＰＵＣＣＨとしても知られる）ＮＢ−ＩｏＴ  ＰＵＣＣＨ、ＰＵＳＣＨ、（ＮＰＵＳＣＨとしても知られる）ＮＢ−ＩｏＴ  ＰＵＳＣＨ、ＰＲＡＣＨ、（ＮＰＲＡＣＨとしても知られる）ＮＢ−ＰＲＡＣＨ、任意のタイプのアップリンク制御またはデータチャネルなどである。
【００６２】
図２ａは、例示的な実施形態による、アップリンク送信タイミング制御調整のための、ワイヤレス通信デバイス１１０によって実施される方法２００を示し、ここで、ワイヤレス通信デバイス１１０は、ネットワークノード１２０によってサービングされ、繰返し期間内のアップリンク信号の繰返し送信を含むカバレッジ拡張モードで動作するように設定される。
【００６３】
一実施形態では、ワイヤレス通信デバイス１１０は、ネットワークノード１２０によってサービングされ、カバレッジ拡張モードで動作するように設定され得、ここで、カバレッジ拡張モードは、繰返し期間の間のアップリンク信号の繰返し送信を含む。この実施形態では、第１の決定ユニット３１０は、ネットワークノード１２０のダウンリンクタイミングの変化を決定するように設定され得、調整ユニット３３０は、ダウンリンクタイミングの変化と、繰返し期間が継続中であることとに応答して、継続中の繰返し期間外でアップリンク送信タイミングの調整を実施するように設定され得る。
【００６４】
ワイヤレス通信デバイス１１０に関するさらなる詳細が、以下で図２ａおよび図３ａに関して説明され得る。
【００６５】
図２ａに示されているように、第１の決定ユニット３１０は、ステップ２１０において、サービングセルまたはネットワークノード１２０のダウンリンクタイミングが変化したと決定するように設定され得、第３の決定ユニット３４０は、ステップ２２０において、１よりも大きい繰返し係数Ｒのアップリンク繰返しがネットワークノード１２０によって設定されるかどうかを検査または決定するように設定され得る。そのような繰返しが設定されない場合、ステップ２３０において、アップリンク送信タイミングは、３ＧＰＰ  ＴＳ  ３６．１３３  Ｖ１２．７．０、セクション７．１．２において明記されているルールなど、漸進的な調整に関するレガシールールに従って、漸進的に調整され得る。
【００６６】
たとえば、ルールは、以下からなる条件のうちの１つまたは複数を含み得る。
ａ．  １つの調整におけるタイミング変化の大きさの最大量がＴｑ秒であるものとする、
ｂ．  最小アグリゲート調整レートが毎秒７＊Ｔｓであるものとする、および
ｃ．  最大アグリゲート調整レートが２００ｍｓ当たりＴｑであるものとする、
ｄ．  ここで、Ｔｑは、ダウンリンク特性およびアップリンク特性に依存しており、たとえば、以下の表１の場合のように、ダウンリンク帯域幅上にマッピングされる。
2020074521.tif 000003
【００６７】
ダウンリンク特性は、ダウンリンクシステム帯域幅と、カバレッジ拡張動作モード、たとえば、モードＡ動作またはモードＢ動作または繰返しの動作とのいずれかまたは組合せを含む。アップリンク特性は、アップリンクシステム帯域幅、サブキャリア距離または間隔、シンボル長およびサイクリックプレフィックス長のいずれかまたは組合せを含み得る。
【００６８】
一方、アップリンク繰返しが設定されると第３の決定ユニット３４０が決定した場合、第２の決定ユニット３３０は、ステップ２４０において、それが、メッセージが繰り返されるアップリンク送信に現在関与しているかどうかを検査するように設定され得る。関与していない場合、調整ユニット３２０は、ステップ２５０において、セルまたはネットワークノード１２０における変更されたダウンリンクタイミングに応答して、実質的に直ちにアップリンク送信タイミングを十分に調整するように設定され得る。
【００６９】
たとえば、ダウンリンクタイミングの変化と、繰返し期間が継続中でないこととに応答して、アップリンク送信タイミングは、アップリンク繰返し期間が開始する前の±Ｔｅ秒内に調整され得、次のアップリンク繰返し期間の間一定のままであるものとし、ここで、Ｔｅは、上記のダウンリンク特性およびアップリンク特性に依存しており、アップリンク送信タイミングは、アップリンク繰返し期間の間一定のままであるものとする。
【００７０】
一方、第２の決定ユニット３３０が、ワイヤレス通信デバイス１１０がアップリンク送信に関与していると決定した場合、調整ユニット３２０は、ステップ２６０において、現在のアップリンク送信期間が終了するまで、アップリンク送信タイミング調整を延期することと、好ましくは実質的にその後直ちに、できるだけ早く次のアップリンク送信のために準備されることとを行うように設定され得る。
【００７１】
たとえば、ダウンリンクタイミングの変化と、繰返し期間が継続中であることとに応答して、アップリンク送信タイミングは、次のアップリンク繰返し期間または次のアップリンク送信が開始する前の、および継続中のアップリンク送信期間が終了した後の±Ｔｅ秒内に調整され得、次の継続中のアップリンク繰返し期間の間一定のままであるものとし、ここで、Ｔｅは、上記のダウンリンク特性およびアップリンク特性に依存している。
【００７２】
ステップ２１０において、第１の決定ユニット３１０は、基準時間に関する、ネットワークノードからワイヤレス通信デバイスにおいて受信された参照信号のダウンリンクタイミングの変化を決定するようにさらに設定され得る。たとえば、第１の決定ユニット３１０は、ダウンリンク上でネットワークノードによってブロードキャストされる１つまたは複数の参照信号のタイミングの、１つまたは複数の前の参照信号に基づいてワイヤレス通信デバイスによって参照信号のために予測されたタイミングに対する、相対的変化を決定するようにさらに設定され得る。
【００７３】
ステップ２２０において、第３の決定ユニット３４０は、ネットワークノードによって送信されたＤＣＩに基づいて、繰返し期間が、１つの無線リソース時間単位よりも長いかどうかを検査するようにさらに設定され得、ここで、ＤＣＩは、ＤＣＩとｍａｘＲｅｐｅｔｉｔｉｏｎｓとに応じて、たとえば、ＰＵＳＣＨに適用可能な、許可されたアップリンク送信のために使用すべき繰返数に関する明示的または暗黙的情報を含んでいる。その上、この検査ステップは、ネットワークノードによって与えられるＲＲＣ構成に基づき得、ここで、ＲＲＣ構成は、無線リソース時間単位中のワイヤレス通信デバイスのためのリソース数を含んでおり、ここで、前記リソース数は、ＲＢの数とｍａｘＲｅｐｅｔｉｔｉｏｎｓとに応じて、たとえば、ＰＵＣＣＨに適用可能な、繰返数を明示的または暗黙的に示す。１つの無線リソース時間単位は、たとえば、ｅＭＴＣに適用可能な１つのＥＵＴＲＡＮサブフレーム（１ｍｓ）に、または、たとえば、ＮＢ−ＩｏＴ３．７５ｋＨｚオプションに適用可能な２つのＥＵＴＲＡＮサブフレーム（２ｍｓ）に対応し得る。
繰返しを伴う１つの信号を送信するように設定されたＵＥにおける例示的な方法
【００７４】
本開示の技法は、ネットワークノードによってサービングされ、繰返し期間の間の繰返しを伴う１つのアップリンク信号を送信するように設定された、ＵＥなど、ワイヤレス通信デバイス１１０において実装される方法を含む。これらの方法は、たとえば、第１の決定ユニット３１０によって、ネットワークノードのダウンリンクタイミングの変化を決定するステップ（２１０）と、ダウンリンクタイミングの変化と、継続中の繰返し期間とに応答して、調整ユニット３２０によって、継続中の繰返し期間外でアップリンク送信タイミングの調整を実施するステップ（２６０）とを含み得る。本方法は、ＵＥが、時間期間（Ｔ０）上でのある繰返しを伴う第１のアップリンク信号を送信するように設定されるかどうかを決定するステップと、第１の信号を送信するためのアップリンク送信タイミングが調整される調整時間リソースを決定するステップとをさらに含み得、その調整時間リソースは、ダウンリンク受信タイミングの決定された変化に応答して決定され、ＵＥが、繰返しを伴う第１の信号で設定されるのか、繰返しを伴わない第１の信号で設定されるのかに依存する（たとえば、サブフレームなど、調整時間リソースは、繰返しが設定された場合、Ｔ０の直後に生じる）。
【００７５】
これらの例示的な方法は、ＵＥ送信タイミング調整に関する新しいＵＥ挙動に関係する。１よりも大きい繰返し係数Ｒ、すなわち、Ｒ＞１を使用してアップリンク上で様々なアップリンク信号（たとえば、ＰＲＡＣＨ、ＳＲＳ、ＰＵＳＣＨ、Ｍ−ＰＵＣＣＨ、ＮＢ−ＰＵＳＣＨ、ＮＢ−ＰＵＣＣＨなど）のいずれかを送信するように設定されたＵＥが、各別個の繰返し期間の始まりを初期送信であると見なすものとする。その上、ＦＤＤ動作モードまたはＴＤＤ動作モードの場合、ＵＥは、Ｒ＞１であるとき、現在の繰返しバースト、すなわち、送信されているアップリンク信号がそれの上で繰り返されるアップリンク送信期間またはアップリンク送信持続時間の間にアップリンクタイミングの自律変更を行わないものとする。
【００７６】
この新しいＵＥ挙動は、メッセージ繰返しが使用されるとき、ＵＥが繰返し期間の間にアップリンク送信タイミングを変更することは望ましくないので、必要とされる。ＵＥアップリンクタイミングの変化は、基地局受信機におけるチャネル推定を損ない得る。これは、基地局受信機が、繰返しを伴ってＵＥによって送信された信号を受信するかまたは正しく受信するのを妨げることになる。
【００７７】
この実施形態では、ＵＥは、繰返し期間（Ｔ０）全体上での繰返しを伴う１つの信号を送信するように設定されると仮定される。たとえば、ＵＥは、たとえば、３２個のサブフレーム、３２個のＴＴＩ、３２個のインターリービング時間期間など、３２個の連続するアップリンク時間リソース上での３２回の繰返しを伴うＰＵＳＣＨのみを送信するように設定され得る。これは、ＦＤＤの場合３２ｍｓの繰返し期間（Ｔ０）に対応する。しかしながら、ＨＤ−ＦＤＤおよびＴＤＤの場合のＴ０は、３２ミリ秒（ｍｓ）よりも長くなることになり、Ｔ０の実際の値は、フレーム中で利用可能なアップリンクサブフレームの数に依存することになる。
【００７８】
初期送信として各アップリンク繰返し期間を扱うことと、継続中のアップリンク繰返し期間の間のＵＥ自律アップリンクタイミング補正を許容しないこととによって、ネットワークノード受信機側におけるひずみが低減され得る。
繰返しを伴う信号と、繰返しを伴わない信号の両方を送信するように設定されたＵＥにおける例示的な方法
【００７９】
本開示の技法は、繰返し期間の間の繰返しを伴う信号と繰返しを伴わない信号との組合せを送信するように設定されるときにアップリンクタイミングを調整するための、ＵＥなど、ワイヤレス通信デバイスにおいて実装される方法を含む。これらの方法では、ＵＥは、第１の繰返し期間の間の第１のアップリンク信号の繰返し送信と、繰返しを伴わない第２のアップリンク信号の送信とを含むカバレッジ拡張モードで動作するように設定される。これらの方法は、ステップ２１０において、たとえば、第１の決定ユニット３１０によって、サービングネットワークノードまたはセルのダウンリンクタイミングの変化を決定することと、ステップ２６０において、ダウンリンクタイミングの変化と継続中の繰返し期間とに応答して、たとえば、調整ユニット３２０によって、第１の繰返し期間外で第１のアップリンク信号のアップリンク送信タイミングの調整を実施することとを含む。実施するステップは、第１のアップリンク信号のアップリンク送信タイミングと同じアップリンク送信タイミングをもつ第２のアップリンク信号をさらに設定し得る。
【００８０】
これらの方法では、ＵＥは、繰返し期間（Ｔ０）上での繰返しを伴う少なくとも１つの第１の信号を送信し、また第１の信号の繰返し期間の間に、すなわち、Ｔ０の間に別の第２の信号を送信するように設定されると仮定される。たとえば、ＵＥは、Ｔ０上での３２回の繰返しを伴うＰＵＳＣＨを送信するように設定され得、ＵＥはまた、Ｔ０の間に少なくとも１回のランダムアクセス送信を実施し得る。ＵＥは、１回の送信試み、すなわち、繰返しを伴わない元の送信のみでＴ０の間にＲＡを実施すると仮定される。
【００８１】
ＵＥは、自律的に、またはネットワークノードから受信された要求に応答してＲＡ送信を始動し得る。ＵＥは、以下の理由、たとえば、ＴＡ、ＵＥ  Ｒｘ−Ｔｘ時間差、ｅＮＢ  Ｒｘ−Ｔｘ時間差など、測位測定を実施するために、またはその測位測定をｅＮＢが実施することを可能にするために、などのうちの１つまたは複数のために、ＲＡ送信を実施し得る。したがって、ＲＡ送信は、原則として、第１の信号と無相関の任意の時間に行われることがある。
【００８２】
いくつかの実施形態によれば、ＵＥは、第１の信号の継続中のアップリンク繰返し期間（Ｔ０）の間に第２の信号を送信するときでも、自律アップリンクタイミング補正を実施することは許容されない。一方、ＵＥは、第１の信号の現在の繰返し期間の開始時にまたは終了時に自律的にＵＥのタイミングを調整し得る。より詳細には、ＵＥは、ＰＵＳＣＨを送信するために使用されている同じタイミングを使用してＴ０の間にＲＡを送信し得る。このタイミングは、Ｔ０の開始時に最も好都合であった。
【００８３】
これは、ＦＤＤの場合３２ｍｓの繰返し期間（Ｔ０）に対応する。しかしながら、ＨＤ−ＦＤＤおよびＴＤＤの場合のＴ０は、３２ｍｓよりも長くなることになり、Ｔ０の実際の値は、フレーム中で利用可能なアップリンクサブフレームの数に依存することになる。
重複する繰返し期間の間の繰返しを伴う複数の信号を送信するように設定されたＵＥにおける例示的な方法
【００８４】
本開示の技法は、ワイヤレス通信デバイス１００が、重複する繰返し期間の間の繰返しを伴う複数の信号を送信するように設定されるときにアップリンクタイミングを調整する、ＵＥなど、ワイヤレス通信デバイス１００において実装される方法を含む。たとえば、ＵＥは、時間期間Ｔ１上でのある繰返しを伴う第１のアップリンク信号と、時間期間Ｔ２上でのある繰返しを伴う第２のアップリンク信号とを含む、少なくとも部分的に重複する繰返し期間をもつ少なくとも２つのアップリンク信号の繰返し送信を含むカバレッジ拡張モードで動作するように設定され得る。
【００８５】
これらの方法は、ステップ２１０において、第１の決定ユニット３１０によって、サービングネットワークノードまたはセルのダウンリンクタイミングの変化を決定することと、ステップ２６０において、ダウンリンクタイミングの変化と（１つまたは複数の）継続中の繰返し期間とに応答して、調整ユニット３２０によって、第１の繰返し期間および第２の繰返し期間の両方の外でアップリンク送信タイミングを実施することとを含み得る。方法は、第１の信号および第２の信号のうちの少なくとも１つを送信するためのアップリンク送信タイミングが調整される調整時間リソースを決定するステップをさらに含み得、その調整時間リソースは、ダウンリンク受信タイミングの決定された変化に応答して決定され、Ｔ１の開始時間とＴ２の開始時間との間の関係、および／またはＴ１の終了時間とＴ２の終了時間との間の関係にさらに依存する（たとえば、サブフレームなど、調整時間リソースは、Ｔ２がＴ１の後に終了する場合、Ｔ２の直後に生じる）。
【００８６】
これらの実施形態では、ＵＥは、第１の繰返し期間Ｔ１上でのある繰返しを伴う少なくとも１つの第１の信号と、第２の繰返し期間Ｔ２上でのある繰返しを伴う少なくとも１つの第２の信号とを送信するように設定されると仮定される。Ｔ１とＴ２とが少なくとも部分的に重複するとさらに仮定される。たとえば、ＵＥは、Ｔ１上での３２回の繰返しを伴う、ＰＵＳＣＨなど、第１の信号を送信するように設定され得る。ＵＥはまた、Ｔ２の間のある数の繰返しを伴う、ランダムアクセスなど、第２の信号を送信するように設定され得る。また別のシナリオでは、ＵＥは、１回の送信試み、すなわち、繰返しを伴わない（Ｒ＝１）元の送信のみでＴ０の間にＲＡを実施すると仮定される。
【００８７】
上述のように、ＵＥは、自律的に、またはネットワークノードから受信された要求に応答してＲＡ送信を始動し得る。ＵＥは、以下の理由、たとえば、ＴＡ、ＵＥ  Ｒｘ−Ｔｘ時間差、ｅＮＢ  Ｒｘ−Ｔｘ時間差など、測位測定を実施するために、またはその測位測定をｅＮＢが実施することを可能にするために、などのうちの１つまたは複数のために、ＲＡ送信を実施し得る。
【００８８】
開示される方法のこれらの実施形態によれば、ＵＥ挙動は以下のようにさらに説明され得る。ＵＥは、アップリンク信号のうちのいずれかの継続中のアップリンク繰返し期間の間に、自律アップリンク送信タイミング補正または調整を実施することを許容されないが、時間的に重複する他の信号の繰返し期間の開始時間と比較して最も早い開始時間をもつ信号の繰返し期間の始めの前に、または時間的に重複する他の信号の繰返し期間の終了時間と比較して最も遅い終了時間をもつ信号の繰返し期間の終了の後になど、繰返し期間が継続中でないとき、ＵＥのアップリンク送信タイミングを自律的に調整することを許容される。
【００８９】
上記のＵＥ挙動は、それぞれ、Ｔ１およびＴ２の少なくとも部分的に重複する繰返し期間をもつ第１の信号送信および第２の信号送信を含む例を用いて詳述される。Ｔ１がＴ２の前に開始し、Ｔ１がＴ２の前に終了する、すなわち、Ｔ２がＴ１の後に終了すると仮定する。この実施形態では、ＵＥは、Ｔ１の開始から、およびＴ２の終了まで、ＵＥのアップリンクタイミングを自律的に調整することを許容されない。しかしながら、ＵＥは、Ｔ１の直前にまたはＴ２の直後に、ＵＥのアップリンク送信タイミングを自律的に調整または変更することを許容される。
ＵＥアップリンクタイミング調整プロシージャを拡張するように繰返しを伴うアップリンク信号を設定するＵＥにおける例示的な方法
【００９０】
図２ｂは、本開示の技法の他の例示的な実施形態による、アップリンク送信タイミング制御のためのワイヤレス通信デバイス１１０によって実施される方法２８０を示す。方法２８０は（たとえば、ＲＡ送信などに関与する）ＵＥにおいて実装され得る。本方法では、ワイヤレス通信デバイス１１０は、ネットワークノード１２０によってサービングされ、カバレッジ拡張モードで動作するように設定され、カバレッジ拡張モードは、それぞれの繰返し期間をもつ複数のアップリンク信号の繰返し送信を含む。
【００９１】
図２ｂに示されているように、方法２８０は、ステップ２９０において、それぞれの繰返し期間の重複時間が最大にされるか、または複数のアップリンク信号の単一の送信が最小にされるように、所定のルールに従って、それぞれの繰返し期間の開始ポイントまたは終了ポイントのうちの少なくとも１つを時間的にシフトすることによって、それぞれの繰返し期間を整合させることを含み得る。
【００９２】
所定のルールは以下のうちの１つを含む。
ａ．  それぞれの繰返し期間が同時に開始すること、
ｂ．  それぞれの繰返し期間が同時に終了すること、
ｃ．  それぞれの繰返し期間が第１の持続時間（Δ１）内に、たとえば、５つのサブフレームなど、Ｘ個の時間リソース内に開始すること、および
ｄ．  それぞれの繰返し期間が第２の持続時間（Δ２）内に、たとえば、１０個のサブフレームなど、Ｙ個の時間リソース内に終了すること。
繰返し期間の間の上記の関係は、実装形態固有であるか、ネットワークノードによってＵＥにおいてあらかじめ定義されるか、または設定され得る。
【００９３】
たとえば、ＵＥは、Ｔ１の繰返し期間上でのある繰返しを伴う第１の信号（ＰＵＳＣＨ）を送信するようにネットワークノードによって設定されると仮定する。Ｔ１の間に、ネットワークノードは、さらに、ＵＥに、Ｔ２の繰返し期間上でのある繰返しを伴う、ランダムアクセスなど、第２の信号を送信することを要求し得る。特殊な場合として、第２の信号のための繰返しは、１、すなわち、Ｒ＝１であり得る。例示的な一実装形態では、ＵＥは、Ｔ１の終わりまでにすべての繰返しを用いてＲＡを送信するように設定され得る、すなわち、Ｔ２は、Ｔ１の直前のまたは直後の単一および最後の時間リソースにおいて終了する。Ｔ１の終わりにＴ２をスケジュールすることによって、ＵＥは、Ｔ１の直後に、またはＴ１の後のある時間リソースにおいてＵＥのアップリンク送信タイミングを調整することを許容される。言い換えれば、重複する繰返し期間をもつアップリンク送信のために設定された２つまたはそれ以上の信号があるとき、ＵＥ送信タイミング調整は遅延されないか、または調整は最小遅延を伴って適用される。別の例では、Ｔ１の間の送信はＴ２における送信よりも優先され、Ｔ２がＴ１の残り時間にわたるので、ＵＥはＴ１の開始時にタイミングを補正することができる。しかしながら、ＵＥは、Ｔ２が開始された後に残されたＴ１の一部があることになるので、Ｔ２の始まりにおいてタイミングを補正することを許容されないであろう。
【００９４】
この手法の目的は、できる限り複数のアップリンク信号の繰返し期間の間の整合を許容することである。この整合は、ＵＥが、各アップリンク信号の繰返し期間の終了後に、直ちにまたはより短い遅延を伴ってアップリンク送信タイミングを調整することを可能にする。言い換えれば、繰返し期間（Ｔａ、Ｔｂ）の重複時間が最大にされるか、またはアップリンク信号の単一の送信が最小にされる。
【００９５】
図３ｂは、本明細書で説明される技法のうちの１つまたは複数を行うように設定され得るワイヤレス通信デバイス１１０の簡略ブロック図である。図３ｂに示されているように、ワイヤレス通信デバイス１１０は、限定はしないが、互いと動作可能に結合された、入出力インターフェース３７０、（１つまたは複数の）プロセッサ３６０、およびメモリ３５０を備え得る。
【００９６】
メモリ３５０は、限定はしないが、揮発性メモリ（たとえば、ＲＡＭ）および／または不揮発性メモリ（たとえば、ハードディスクまたはフラッシュメモリ）を備え得る。一実施形態では、メモリ３５０は、（１つまたは複数の）プロセッサ３６０によって実行されたとき、プロセッサ３６０に、ワイヤレス通信デバイス１１０において実施される方法を実施させるコンピュータプログラムを記憶するように設定され得る。そのようなメモリ３５０との（１つまたは複数の）プロセッサ３６０の組合せは、処理回路と呼ばれることがあり、メモリ３５０が本明細書で説明される技法のうちの１つまたは複数を行うためのコンピュータプログラムを記憶するとき、処理回路は、それにより、それらの１つまたは複数の技法を行うように設定されることが諒解されよう。いくつかの実施形態では、コンピュータプログラムは、遠隔ロケーション、たとえば、コンピュータプログラム製品３８０に記憶され、たとえば、キャリア３９０を介して（１つまたは複数の）プロセッサ３６０によってアクセス可能であり得る。
【００９７】
コンピュータプログラム製品３８０は、リムーバブルコンピュータ可読媒体、たとえば、ディスケット、ＣＤ（コンパクトディスク）、ＤＶＤ（デジタルビデオディスク）、フラッシュまたは同様のリムーバブルメモリ媒体（たとえば、コンパクトフラッシュ、ＳＤセキュアデジタル、メモリスティック、ミニＳＤ、ＭＭＣマルチメディアカード、スマートメディア）、ＨＤ−ＤＶＤ（高精細度ＤＶＤ）、またはＢｌｕｒａｙ  ＤＶＤ、ＵＳＢ（ユニバーサルシリアルバス）ベースリムーバブルメモリ媒体、磁気テープメディア、光記憶媒体、磁気光学メディア、バブルメモリ上で配信および／または記憶されるか、またはネットワーク（たとえば、イーサネット、ＡＴＭ、ＩＳＤＮ、ＰＳＴＮ、Ｘ．２５、インターネット、ローカルエリアネットワーク（ＬＡＮ）、またはインフラストラクチャノードにデータパケットをトランスポートすることが可能な同様のネットワーク）を介して伝搬信号として配信され得る。
ネットワークノード側
【００９８】
図４は、例示的な実施形態による、アップリンク送信タイミング制御のための、ネットワークノード１２０、クラウドなどにおいてなど、ワイヤレス通信システムのネットワーク側で実施される例示的な方法４００を示す。ネットワークノード１２０は、たとえば、ネットワークノード１２０によってサービングされるワイヤレス通信デバイス１１０のためのアップリンク送信タイミング調整プロシージャを拡張するように設定され得る。図５ａに示されているように、ネットワークノード１２０は、限定はしないが、決定ユニット５１０と、可能化ユニット５２０と、送信ユニット５３０とを備え得る。
【００９９】
一実施形態では、決定ユニット５１０は、ワイヤレス通信デバイス１１０が、少なくとも部分的に重複する繰返し期間上で少なくとも２つのアップリンク信号を送信するように設定されることになると決定するように設定され得る。可能化ユニット５２０は、ワイヤレス通信デバイス１１０が、少なくとも２つのアップリンク信号のそれぞれの繰返し期間を整合させることを可能にするように設定され得る。ネットワークノード１２０に関するさらなる詳細が、以下で図４、図５ａおよび図５ｂに関して説明され得る。
【０１００】
図４に示されているように、ワイヤレス通信デバイス１１０のためのアップリンク送信タイミング調整プロシージャを拡張するための方法４００は、たとえば、図４のステップ４１０に示されているように、決定ユニット５１０によって、ワイヤレス通信デバイス１００が、少なくとも部分的に重複する繰返し期間上で少なくとも２つのアップリンク信号を送信するように設定されることになると決定するステップと、図４のステップ４２０に示されているように、可能化ユニット５２０によって、ワイヤレス通信デバイス１１０が、少なくとも２つのアップリンク信号のそれぞれの繰返し期間を整合させることを可能にするステップとを含み得る。
【０１０１】
ステップ４２０において、可能化ユニット５２０は、ワイヤレス通信デバイス１１０が、それぞれの繰返し期間の重複時間が最大にされるか、または複数のアップリンク信号の単一の送信が最小にされるように、所定のルールに従って、それぞれの繰返し期間の開始ポイントまたは終了ポイントのうちの少なくとも１つを時間的にシフトすることによって、それぞれの繰返し期間を整合させることを可能にするようにさらに設定され得る。所定のルールは以下のうちの１つを含む。
ａ．  それぞれの繰返し期間が同時に開始すること、
ｂ．  それぞれの繰返し期間が同時に終了すること、
ｃ．  それぞれの繰返し期間が第１の持続時間（Δ１）内に、たとえば、５つのサブフレームなど、Ｘ個の時間リソース内に開始すること、および
ｄ．  それぞれの繰返し期間が第２の持続時間（Δ２）内に、たとえば、１０個のサブフレームなど、Ｙ個の時間リソース内に終了すること。
繰返し期間の間の上記の関係は、実装形態固有であるか、ネットワークノードによってＵＥにおいてあらかじめ定義されるか、または設定され得る。
【０１０２】
たとえば、ＵＥは、Ｔ１の繰返し期間上でのある繰返しを伴う第１の信号（ＰＵＳＣＨ）を送信するようにネットワークノードによって設定されると仮定する。Ｔ１の間に、ネットワークノードは、さらに、ＵＥに、Ｔ２の繰返し期間上でのある繰返しを伴う、第２の信号（ランダムアクセス）を送信することを要求し得る。特殊な場合として、第２の信号のための繰返しは、１、すなわち、Ｒ＝１であり得る。例示的な一実装形態では、ＵＥは、Ｔ１の終わりまでにすべての繰返しを用いてＲＡを送信するように設定され得る、すなわち、Ｔ２は、Ｔ１の直前のまたは直後の単一および最後の時間リソースにおいて終了する。Ｔ１の終わりにＴ２をスケジュールすることによって、ＵＥは、Ｔ１の直後に、またはＴ１の後のある時間リソースにおいてＵＥのアップリンク送信タイミングを調整することを許容される。言い換えれば、重複する繰返し期間をもつアップリンク送信のために設定された２つまたはそれ以上の信号があるとき、ＵＥ送信タイミング調整は遅延されないか、または調整は最小遅延を伴って適用される。他の実施形態では、Ｔ１の間の送信はＴ２における送信よりも優先され、Ｔ２がＴ１の残り時間にわたるので、ＵＥはＴ１の開始時にタイミングを補正することができる。しかしながら、ＵＥは、Ｔ２が開始された後に残されたＴ１の一部があることになるので、Ｔ２の始まりにおいてタイミングを補正することを許容されないであろう。
【０１０３】
この手法の目的は、できる限り複数のアップリンク信号の繰返し期間の間の整合を許容することである。この整合は、ＵＥが、各アップリンク信号の繰返し期間の終了後に、直ちにまたはより短い遅延を伴ってアップリンク送信タイミングを調整することを可能にする。言い換えれば、繰返し期間（Ｔａ、Ｔｂ）の重複時間が最大にされるか、またはアップリンク信号の単一の送信が最小にされる。
【０１０４】
図５ｂは、本明細書で説明される技法のうちの１つまたは複数を行うように設定され得る、例示的なネットワークノード１２０の簡略ブロック図である。図５ｂに示されているように、ネットワークノード１２０は、限定はしないが、互いと動作可能に結合された、入出力インターフェース５７０と、（１つまたは複数の）プロセッサ５６０と、メモリ５５０とを備え得る。
【０１０５】
メモリ５５０は、限定はしないが、揮発性メモリ（たとえば、ＲＡＭ）および／または不揮発性メモリ（たとえば、ハードディスクまたはフラッシュメモリ）を備え得る。一実施形態では、メモリ５５０は、（１つまたは複数の）プロセッサ５６０によって実行されたとき、（１つまたは複数の）プロセッサ５６０に、ネットワークノード１２０において実施される方法を実施させるコンピュータプログラムを記憶するように設定され得る。そのようなメモリ５５０との（１つまたは複数の）プロセッサ５６０の組合せは、処理回路と呼ばれることがあり、メモリ５５０が本明細書で説明される技法のうちの１つまたは複数を行うためのコンピュータプログラムを記憶するとき、処理回路は、それにより、それらの１つまたは複数の技法を行うように設定されることが諒解されよう。いくつかの実施形態では、コンピュータプログラムは、遠隔ロケーション、たとえば、コンピュータプログラム製品５８０に記憶され、たとえば、キャリア５９０を介してプロセッサ５６０によってアクセス可能であり得る。
【０１０６】
コンピュータプログラム製品５８０は、リムーバブルコンピュータ可読媒体、たとえば、ディスケット、ＣＤ（コンパクトディスク）、ＤＶＤ（デジタルビデオディスク）、フラッシュまたは同様のリムーバブルメモリ媒体（たとえば、コンパクトフラッシュ、ＳＤセキュアデジタル、メモリスティック、ミニＳＤ、ＭＭＣマルチメディアカード、スマートメディア）、ＨＤ−ＤＶＤ（高精細度ＤＶＤ）、またはＢｌｕｒａｙ  ＤＶＤ、ＵＳＢ（ユニバーサルシリアルバス）ベースリムーバブルメモリ媒体、磁気テープメディア、光記憶媒体、磁気光学メディア、バブルメモリ上で配信および／または記憶されるか、またはネットワーク（たとえば、イーサネット、ＡＴＭ、ＩＳＤＮ、ＰＳＴＮ、Ｘ．２５、インターネット、ローカルエリアネットワーク（ＬＡＮ）、またはインフラストラクチャノードにデータパケットをトランスポートすることが可能な同様のネットワーク）を介して伝搬信号として配信され得る。
【０１０７】
本明細書で開示される方法は、ネットワークノードとＵＥとの間で通信が行われる場合について例示されているが、同じ方法が、通信が少なくとも２つのノード、すなわちノード１とノード２との間で行われるときにも適用され得る。
【０１０８】
第１のノードの例は、ノードＢ、ＭｅＮＢ、ＳｅＮＢ、ＭＣＧまたはＳＣＧに属するネットワークノード、基地局（ＢＳ）、ＭＳＲ  ＢＳなどの多規格無線（ＭＳＲ）無線ノード、ｅノードＢ、ネットワークコントローラ、無線ネットワークコントローラ（ＲＮＣ）、基地局コントローラ（ＢＳＣ）、リレー、ドナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（たとえば、ＭＳＣ、ＭＭＥなど）、Ｏ＆Ｍ、ＯＳＳ、ＳＯＮ、測位ノード（たとえば、Ｅ−ＳＭＬＣ）、ＭＤＴなどである。
【０１０９】
第２のノードの例は、ターゲットデバイス、デバイスツーデバイス（Ｄ２Ｄ）ＵＥ、（ＰｒｏＳｅ  ＵＥとも呼ばれる）プロキシミティ対応ＵＥ、マシンツーマシン（Ｍ２Ｍ）通信が可能なマシン型ＵＥまたはＵＥ、ＰＤＡ、ＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどである。
【０１１０】
（Ｄ２Ｄ、サイドリンクとしても知られる）ＰｒｏＳｅ動作の場合、通信は２つのＰｒｏＳｅ対応ＵＥ間で行われる。ＵＥによるＰｒｏＳｅ動作は、半二重モードにおけるものである、すなわち、ＵＥは、ＰｒｏＳｅ信号／チャネルを送信することまたはＰｒｏＳｅ信号／チャネルを受信することのいずれかを行うことができる。ＰｒｏＳｅ  ＵＥは、ＰｒｏＳｅリレーＵＥとしても働くことができ、そのタスクは、ＰｒｏＳｅ  ＵＥ間のいくつかの信号を中継するが、他のノード（たとえば、ネットワークノード）にもいくつかの信号を中継することである。また、ＰｒｏＳｅのための関連する制御情報があり、そのうちの一部がＰｒｏＳｅ  ＵＥによって送信され、残りがｅＮＢによって送信される（たとえば、セルラーダウンリンク制御チャネルを介して送信されるＰｒｏＳｅ通信のためのＰｒｏＳｅリソース許可）。ＰｒｏＳｅ送信は、ネットワークによって設定されたか、またはＰｒｏＳｅ  ＵＥによって自律的に選択されたリソース上で行われ得る。ＰｒｏＳｅ送信（たとえば、ＰＳＤＣＨ）は、連続するサブフレーム上で送信される数回（たとえば、３回）の再送信を含む。再送信または繰返しが、良好なＳＤ−ＲＳＲＰ測定性能を達成するために必要とされる。ＳＤ−ＲＳＲＰ測定は、ＰｒｏＳｅ  ＵＥによるＰｒｏＳｅリレー選択を実施するために使用される。
【０１１１】
上記の明細書では、本開示の実施形態が、それの特定の例示的な実施形態を参照しながら説明された。以下の特許請求の範囲に記載の本開示のより広い趣旨および範囲から逸脱することなく、様々な改変がそれに行われ得ることは明らかであろう。したがって、本明細書および図面は、限定的な意味ではなく例示的な意味で考慮されるべきである。
【０１１２】
説明全体にわたって、本開示の実施形態は流れ図を通して提示された。これらの流れ図で説明されたトランザクションの順序およびトランザクションは、単に説明のためのものであり、本開示の限定として意図されないことが諒解されよう。当業者は、以下の特許請求の範囲に記載の本開示のより広い趣旨および範囲から逸脱することなく、流れ図に対する変形形態が行われ得ることを認識されよう。
略語説明
【０１１３】
ＢＷ  帯域幅
ＣＥ  カバレッジ拡張
ＣＰ  サイクリックプレフィックス
ＤＣＩ  ダウンリンク制御情報
ＤＦＴ  離散フーリエ変換
ＤＭＲＳ  復調用参照信号
ＤＲＸ  間欠受信
ｅＭＴＣ  エボルブドＭＴＣ
ＥＵＴＲＡ（Ｎ）  拡張ユニバーサル地上無線アクセス（ネットワーク）
ＦＤＤ  周波数分割複信
ＧＥＲＡＮ  ＧＳＭ  ＥＤＧＥ無線アクセスネットワーク
ＧＳＭ  モバイル通信用グローバルシステム
ＨＡＲＱ  ハイブリッド自動再送要求
ＨＤ−ＦＤＤ  半二重ＦＤＤ
ＩｏＴ  モノのインターネット
ｋＳ／ｓ  毎秒キロサンプル
ＬＴＥ  ＵＭＴＳのＬｏｎｇ  ｔｅｒｍ  ｅｖｏｌｕｔｉｏｎ
ＭＡＣ  メディアアクセス制御
ＭＩＢ  マスタ情報ブロック
Ｍ−ＰＤＣＣＨ  マシン型ＰＤＣＣＨ
ＭＴＣ  マシン型通信
ＮＢ−ＩｏＴ  狭帯域ＩｏＴ
ＮＢ−ＭＩＢ  狭帯域ＭＩＢ
ＮＢ−Ｍ−ＰＤＣＣＨ  狭帯域Ｍ−ＰＤＣＣＨ
ＮＢ−ＰＢＣＨ  狭帯域ＰＢＣＨ
ＮＢ−ＰＤＣＣＨ  狭帯域ＰＤＣＣＨ
ＮＢ−ＰＤＳＣＨ  狭帯域ＰＤＳＣＨ
ＮＢ−ＰＳＳ  狭帯域ＰＳＳ
ＮＢ−ＳＳＳ  狭帯域ＳＳＳ
ＮＢ−ＰＵＣＣＨ  狭帯域ＰＵＣＣＨ
ＮＢ−ＰＵＳＣＨ  狭帯域ＰＵＳＣＨ
ＮＴＡ  非時間整合
ＯＦＤＭ  直交周波数分割多重
ＰＡ  電力増幅器
ＰＢＣＨ  物理ブロードキャストチャネル
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＲＢ  物理リソースブロック
ＰＳＳ  １次同期信号
ＰＵＣＣＨ  物理アップリンク制御チャネル
ＰＵＳＣＨ  物理アップリンク共有チャネル
ＲＡ  ランダムアクセス
ＲＲＣ  無線リソース制御
Ｒｘ  受信（機）
ＳＲＳ  サウンディング参照信号
ＳＳＳ  ２次同期信号
ＴＡ  タイミングアドバンス
ＴＡＣ  タイミングアドバンスコマンド
ＴＡＧ  タイミングアドバンスグループ
ＴＤＤ  時分割複信
Ｔｘ  送信（機）
ＴＴＩ  送信時間間隔
ＵＥ  ユーザ機器
ＵＬ  アップリンク
【図１】
2020074521.tif 000006
【図２ａ】
2020074521.tif 000007
【図２ｂ】
2020074521.tif 000008
【図３ａ】
2020074521.tif 000009
【図３ｂ】
2020074521.tif 000010
【図４】
2020074521.tif 000011
【図５ａ】
2020074521.tif 000012
【図５ｂ】
2020074521.tif 000013
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
ネットワークノードによってサービングされ、カバレッジ拡張モードで動作するように設定されたワイヤレス通信デバイスにおけるアップリンク送信タイミング調整のための方法であって、前記カバレッジ拡張モードが、それぞれの繰返し期間をもつ複数のアップリンク信号の繰返し送信を含み、前記方法は、
前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させること
を含む、方法。
【請求項２】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項１に記載の方法。
【請求項３】
ワイヤレス通信デバイスのためのアップリンク送信タイミング調整プロシージャを拡張するための方法であって、
前記ワイヤレス通信デバイスが、少なくとも部分的に重複する繰返し期間上で少なくとも２つのアップリンク信号を送信するように設定されることになると決定することと、
前記ワイヤレス通信デバイスが、前記少なくとも２つのアップリンク信号の前記それぞれの繰返し期間を整合させることを可能にすることと
を含む、方法。
【請求項４】
前記ワイヤレス通信デバイスが、前記少なくとも２つのアップリンク信号の前記それぞれの繰返し期間を整合させることを前記可能にするステップは、
前記ワイヤレス通信デバイスが、前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させることを可能にすること
を含む、請求項３に記載の方法。
【請求項５】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項４に記載の方法。
【請求項６】
前記方法が、前記ワイヤレス通信デバイスをサービングするネットワークノードにおいて実施される、請求項３から５のいずれか一項に記載の方法。
【請求項７】
前記ワイヤレス通信デバイスが、少なくとも２つのアップリンク信号の繰返し送信を含むカバレッジ拡張モードで動作するように設定された、請求項３から６のいずれか一項に記載の方法。
【請求項８】
ワイヤレス通信デバイスのためのアップリンク送信タイミング調整プロシージャを拡張するように設定されたネットワークノードであって、
前記ワイヤレス通信デバイスが、少なくとも部分的に重複する繰返し期間上で少なくとも２つのアップリンク信号を送信するように設定されることになると決定することと、
前記ワイヤレス通信デバイスが、前記少なくとも２つのアップリンク信号の前記それぞれの繰返し期間を整合させることを可能にすることと
を行うように設定された処理回路を備える、ネットワークノード。
【請求項９】
前記処理回路は、前記ワイヤレス通信デバイスが、前記それぞれの繰返し期間の重複時間が最大にされるか、または前記複数のアップリンク信号の単一の送信が最小にされるように、所定のルールに従って、前記それぞれの繰返し期間の開始ポイントまたは終了ポイントのうちの少なくとも１つを時間的にシフトすることによって、前記それぞれの繰返し期間を整合させることを可能にするように設定された、請求項８に記載のネットワークノード。
【請求項１０】
前記所定のルールは、
前記それぞれの繰返し期間が同時に開始することと、
前記それぞれの繰返し期間が同時に終了することと、
前記それぞれの繰返し期間が第１の持続時間内に開始することと、
前記それぞれの繰返し期間が第２の持続時間内に終了することと
のうちの１つを含む、請求項９に記載のネットワークノード。
【請求項１１】
前記ワイヤレス通信デバイスが、少なくとも２つのアップリンク信号の繰返し送信を含むカバレッジ拡張モードで動作するように設定された、請求項８から１０のいずれか一項に記載のネットワークノード。
【外国語明細書】
2020074521000001.pdf